(57)【特許請求の範囲】
【請求項１】
頭部と胴部とからなり該胴部が母材に形成されている締結穴に挿通されかつ前記頭部と前記母材との間に前記胴部の外径以上の大きさの内径を有ししかも胴部軸方向に厚さを有する補助部材が介在されて前記母材と締結状態となっている締結部材の頭部と胴部との境界領域を前記頭部から前記胴部に向かって切断して、前記胴部から前記頭部を分離することによって、前記母材から前記締結部材を除去可能とする締結部材の分解方法において、前記境界領域が前記締結穴の穴径よりも小さくかつ前記胴部の外周面に略平行な円筒領域であり、前記境界領域を切断する前に、前記補助部材を破壊して該補助部材を除去した後に該補助部材の除去により前記頭部と前記母材との間に生じた隙間に前記胴部軸方向と直交する方向から把持手段を挿入して前記胴部を把持することによって前記締結部材を固定することを特徴とする締結部材の分解方法。
【請求項２】
頭部と胴部とからなり該胴部が母材に形成されている締結穴に挿通されかつ前記頭部と前記母材との間に前記胴部の外径以上の大きさの内径を有ししかも胴部軸方向に厚さを有する補助部材が介在されて前記母材と締結状態となっている締結部材の胴部と頭部との境界領域を切断して前記頭部と前記胴部とを分離する切断手段が設けられている分解装置において、前記境界領域は前記締結穴の穴径よりも小さく、かつ、前記胴部の外周面に略平行な円筒領域であり、前記切断手段には、前記締結穴の穴径以下でかつ前記境界領域を切断可能な大きさの径を有する先端が設けられ、前記切断手段に前記境界領域を切断するための切断力を付与する切断力付与手段が設けられ、前記補助部材を破壊して該補助部材を除去した後該補助部材の除去により前記頭部と前記母材との間に生じた隙間に前記胴部軸方向と直交する方向から挿入されて胴部を把持することによって前記締結部材を固定する把持手段が設けられていることを特徴とする分解装置。
【発明の詳細な説明】
【０００１】
【発明の属する技術分野】
本発明は、頭部と胴部からなりかつ胴部が母材に形成されている締結穴に挿通されしかもその頭部がその締結穴の周縁部に接触されてその母材と締結状態となっている締結部材を、その母材から分解する締結部材の分解方法及びその分解装置に関する。
【０００２】
【従来の技術】
鋼板、プラスチックス等の母材同士、あるいは、この母材に他の部材を接合する接合技術として、溶接、接着、機械的締結等の技術が知られている。
【０００３】
溶接技術は、接合強度が大きいという長所があるが、大がかりで高価な設備を必要とすると共に、安全性を確保するために大きなスペースを必要とするという短所がある。
【０００４】
接着技術は、これに比較して安価でかつ小さなスペースで作業を行うことができるという長所があるが、接着剤が固化するまで母材の姿勢を一定に保っておかなければならず、接合に時間がかかるという短所がある。
【０００５】
また、溶接や接着は、母材の接合時に接合不良が発生して接合し直したり、母材をリサイクルして使用し直したりしたい場合に、母材を傷つけずにその接合部分からこの母材同士を分解することが極めて難しい。
【０００６】
一方、機械的締結技術には各種の締結技術が知られており、代表的な機械的締結技術として、ネジ締結、ピン締結、リベット締結がある。
【０００７】
ネジ締結には、例えば、図９２（ａ）に示すように、母材１、２の締結穴１ａ、２ａに挿通された締結部材としてのボルト３とこのボルト３に螺着されている締結部材としてのナット４とをスパナを用いて締め付けることによって、母材１、２同士を機械的に接合する方法、図９２（ｂ）に示すように、締結部材としてのタッピングビス５をドライバーを用いて締結穴１ａ、２ａに形成されているネジ部に螺合させて、母材１、２を締め付けることにより母材１、２同士を機械的に接合する方法が知られている。
【０００８】
ピン締結には、例えば、図９３（ａ）に示すように、締結部材としてのピン６を締結穴１ａ、２ａに挿通し、カシメマシーン、カシメ工具を用いてそのピン６の両端部をカシメることによって母材１、２同士を機械的に接合する方法、図９３（ｂ）に示すように、締結部材としての軸７を母材１の締結穴に挿通し、カシメマシーン、カシメ工具を用いて軸７の端部をカシメることによって、軸７を母材１に機械的に接合する方法が知られている。
【０００９】
リベット締結には、図９４（ａ）に示す締結部材としてのソリッドリベット８、図９４（ｂ）に示す締結部材としてのチューブラリベット９を母材１、２の締結穴１ａ、２ａに挿通して、図９４（ｄ）、図９４（ｅ）に示すように、そのソリッドリベット８、チューブラリベット９の端部を圧潰することにより母材１、２同士を機械的に接合する方法、図９４（ｃ）に示す締結部材としてのブラインドリベット１０を母材１、２の締結穴１ａ、２ａに挿通して、後述する芯軸を用いてそのブラインドリベット１０の端部を圧潰することにより図９４（ｆ）に示すように母材１、２同士を機械的に接合する方法が知られている。
【００１０】
そのブラインドリベット１０は、図９４（ｃ）に示すように、リベットボディ１１と、このリベットボディ１１の軸穴１１ａに挿通されたマンドレル（芯軸）１２とからなり、例えば、以下の手順によって母材１、２同士が機械的に締結される。
【００１１】
このリベット締結では、まず、ブラインドリベット１１の胴部１１ｂを図９５（ａ）に示すように母材１、２の締結穴１ａ、２ａに差し込み、図９５（ｂ）に示すようにマンドレル１２の端部にブラインドリベット締結装置１３をセットする。
【００１２】
そして、図９５（ｃ）に示すように、リベットボディ１１の頭部１１ｃにブラインドリベット締結装置１３のノーズピース１３ａを密着させて、頭部１１ｃをノーズピース１３ａにより母材１に押しつけつつ、ブラインドリベット締結工具１３をトリガーする。
【００１３】
これにより、ブラインドリベット締結装置１３の締結軸把持部としてのジョー部材１３ｂによってマンドレル１２が掴まれて押しつけ方向と反対方向に引っ張られ、胴部１１ｂの母材２の背面側に突出している部分が塑性変形して押し潰され、母材２にカシメ付けられて圧着される。
【００１４】
この状態で、ジョー部材１３ｂを更に押しつけ方向と反対方向に引っ張ると、図９５（ｄ）に示すように、マンドレル１２が縮径部１２ｂの部分で破断されて、母材１と母材２とがブラインドリベット１０によって締結される。
【００１５】
このブラインドリベット１０によれば、押しつけ方向と反対方向に引っ張って締結を行う作業方法であるので、図９５（ａ）〜図９５（ｄ）に示すように、母材１、２の背面側を支持せずに、母材１、２の締結作業を行うことができることになり、母材１、２の背面側に手が入らないような箇所の締結に適している。
【００１６】
なお、図９６に示すように、一方の母材１に予め一体的に形成された軸７（胴部１１ｂ）を、他方の母材２の締結穴２ａにカシメ付けて、母材１、２を機械的に接合するいわゆるバーリングカシメという機械的締結技術も知られている。
【００１７】
このような機械的締結技術は、溶接接合技術に比較して、大型の装置を必要とせず、狭いスペースでも安全を確保しつつ容易に締結作業を行うことができるという長所がある。また、接着接合技術に比較して、迅速に母材１、２を接合できるという長所がある。
【００１８】
【発明が解決しようとする課題】
しかしながら、ピン締結、リベット締結、バーリングカシメ等の機械的締結に用いられる締結部材は、その胴部が塑性変形されることによって母材に締結されるので、締結部材の母材への締結時に締結不良が発生して締結部材から母材を取り外すとき、母材のリサイクル使用のため締結部材から母材を取り外すときに、その締結部材を破壊しなければならず、その分解作業に手間がかかり、また、分解時に母材を傷つけるという不具合がある。すなわち、この種の締結部材の分解技術として、一般に、図９７に示す方法が知られている。その一例を締結部材としてのブラインドリベット１０の分解を例に挙げて説明する。
【００１９】
まず、ドリル１４によって、ブラインドリベット１０の頭部１１ｃを切削し、このブラインドリベット１０の頭部１１ｃを胴部１１ｂから除去する。その後、胴部１１ｂが締結穴１ａ、２ａから抜け出る方向にその切削部を叩いて、母材１、２からブラインドリベット１０を抜き取る。
【００２０】
この従来の締結部材の分解方法では、ドリル１４の準備、選定、切削作業等の段取りに手間がかかる。また、図９８に示すように、頭部１１ｃの切削時に、ドリル１４の先端部が母材１に達して、この母材１の締結穴１ａが切削され、締結穴１ａが大きくなると、この母材１をリサイクルしてブラインドリベット１０を用いて再締結したとしても、十分な締結力を確保することができず、一般に、締結部材の分解作業を行ったときに母材１、２に傷をつけると、その母材１、２をリサイクルによって再使用することが困難である。
【００２１】
また、この種のドリルを用いての締結部材の分解方法の場合には、締結部材の頭部を切削する際に、ドリル１４の回転によって締結部材が連れ回りして、母材１に擦り傷が付いたり、頭部１１ｃの切削ができなかったりするという問題もある。特に、母材１が製品の外装に用いられるものでは、母材１の表面に擦り傷がついていたりすると、製品の商品価値が著しく低下するので、そのような擦り傷のついている母材１をリサイクルで再使用することはできず、分解時の母材の不良率が著しく高くなる。
【００２２】
そこで、ドリル１４の回転に伴う締結部材の連れ回りを阻止するために、図９７に示すように、頭部１１ｃ又は胴部１１ｂをプライヤー又はペンチ等の把持工具１５によって掴んで、連れ回りを阻止しつつドリル１４によって頭部１１ｃを切削しているが、この作業を一人で行うと危険であるため、二人以上で行っており、分解作業に人件費がかさむという問題がある。
【００２３】
ところが、締結部材の頭部１１ｃが皿形形状で、この頭部１１ｃを把持工具１５で掴みにくいとき、締結部材が母材１、２の背面側で手が入らない箇所を締結しているときには、胴部１１ｂを把持工具１５によって掴めないため、連れ回りを防止し難い。
【００２４】
なお、図９２（ａ）、図９２（ｂ）に示すネジ締結の場合には、母材１、２から締結部材としてのボルト３、ナット４、タッピングビス５を容易に取り外すことができる場合も多いが、ネジ締結の場合でも、ボルト３とナット４との螺合部が錆び付いて固着しているとき、タッピングビス５と締結穴１ａ、２ａとの螺合部が固着しているとき、ネジ山が破損してボルト３とナット４とからなる締結部材が母材１、２に対して空回りするという不具合がある。また、ボルト３の角頭部、ナット４の角部、タッピングビス５の頭部が損傷していたりした場合には、ボルト３、ナット４、タッピングビス５の取り外しに多大の困難を伴う。
【００２５】
本発明は、上記の事情に鑑みて為されたものであり、その目的は、母材に締結された締結部材を、母材を損傷することなく容易かつ迅速に母材から除去することのできる締結部材の分解方法及びその分解装置を提供することにある。
【００２６】
【課題を解決するための手段】
請求項１に記載の締結部材の分解方法は、頭部と胴部とからなり該胴部が母材に形成されている締結穴に挿通されかつ前記頭部と前記母材との間に前記胴部の外径以上の大きさの内径を有ししかも胴部軸方向に厚さを有する補助部材が介在されて前記母材と締結状態となっている締結部材の頭部と胴部との境界領域を前記頭部から前記胴部に向かって切断して、前記胴部から前記頭部を分離することによって、前記母材から前記締結部材を除去可能とする締結部材の分解方法において、前記境界領域が前記締結穴の穴径よりも小さくかつ前記胴部の外周面に略平行な円筒領域であり、前記境界領域を切断する前に、前記補助部材を破壊して該補助部材を除去した後に該補助部材の除去により前記頭部と前記母材との間に生じた隙間に前記胴部軸方向と直交する方向から把持手段を挿入して前記胴部を把持することによって前記締結部材を固定することを特徴とする。
請求項２に記載の締結部材の分解装置は、頭部と胴部とからなり該胴部が母材に形成されている締結穴に挿通されかつ前記頭部と前記母材との間に前記胴部の外径以上の大きさの内径を有ししかも胴部軸方向に厚さを有する補助部材が介在されて前記母材と締結状態となっている締結部材の胴部と頭部との境界領域を切断して前記頭部と前記胴部とを分離する切断手段が設けられている分解装置において、前記境界領域は前記締結穴の穴径よりも小さく、かつ、前記胴部の外周面に略平行な円筒領域であり、前記切断手段には、前記締結穴の穴径以下でかつ前記境界領域を切断可能な大きさの径を有する先端が設けられ、前記切断手段に前記境界領域を切断するための切断力を付与する切断力付与手段が設けられ、前記補助部材を破壊して該補助部材を除去した後該補助部材の除去により前記頭部と前記母材との間に生じた隙間に前記胴部軸方向と直交する方向から挿入されて胴部を把持することによって前記締結部材を固定する把持手段が設けられていることを特徴とする。
【００２７】
請求項１、請求項２に記載の発明によれば、母材に締結された締結部材を、母材を損傷することなく容易かつ迅速に母材から除去することができる。また、把持手段によって締結部材の揺動が防止されるので、境界領域の切断を確実に行うことができる。すなわち、切断刃が頭部に衝突するときに生じる反力を吸収することができる。
【００９７】
【発明の実施の形態】
以下、本発明を締結部材の分解方法及びその分解装置を図面を参照しつつ説明する。
【００９８】
以下に説明する分解装置は、ネジ締結、ピン締結、リベット締結、バーリングカシメ等の機械的締結に用いられる締結部材を分解するのに用いることが可能であるが、説明の便宜上、締結部材としてのブラインドリベット１０を主に分解対象として説明する。このブラインドリベット１０は、複写機、プリンタ、ファクシミリ等の事務機の締結部材として広く使用されている。
[簡単な構造の分解装置]
図１において、符号１００Ａ１は簡便な分解装置を示している。この分解装置１００Ａ１は略円柱状の分解装置本体１０１と分解装置本体１０１と一体で切断手段としての略円筒状の切断刃１０２とからなる。その切断刃１０２の先端部（傾斜部）は刃先部１０４とされている。その刃先部１０４は先端に向かうに伴って縮径され、刃先部１０４の先端は鋭利な円筒形状の刃先１０３とされている。図２はその分解装置の外観形状を示している。その刃先１０３は円周方向全体に一様に形成されている。この刃先部１０４は、その外周面が先端から所定角度で傾斜されたテーパ面１０４ａとなっている。その刃先１０３の直径は母材１の締結穴１ａの穴径ｄ１よりも小さい。
【００９９】
なお、母材２の締結穴２の穴径ｄ２は、穴径ｄ１よりも大きい。これは、締結部材をカシメたときにカシメにより塑性変形したカシメ付け部が母材２の締結穴２ａに食い込むことによる母材２の変形を避けるためである。
【０１００】
その分解装置１００Ａ１は、母材１の表面側からブラインドリベット１０の頭部１１ｃに当接され、リベットボディ１１の胴部１１ｂと頭部１１ｃとの境界領域Ａを切断するのに用いられる。その境界領域Ａは締結穴１ａの内周面と平行な胴部軸方向に延びて円筒形状を呈している。この境界領域Ａの直径は締結穴１ａの穴径ｄ１よりも小さい。
【０１０１】
この分解装置１００Ａ１を用いてのブラインドリベット１０の分解は、以下に説明する手順によって行われる。
【０１０２】
まず、図１に示す頭部１１ｃを上から見て、締結穴１ａに対して略同心円となる部位に、その分解装置１００Ａ１の刃先１０３が位置するようにして、分解装置１００Ａ１をその頭部１１ｃに当てがう。これにより、刃先１０３が円筒状の境界領域Ａの真上にほぼ位置される。
【０１０３】
次に、この分解装置１００Ａ１の分解装置本体１０１の頂部をハンマー等で殴打して、切断刃１０２に矢印ａ１で示す方向の衝撃力（切断力）を加える。すると、刃先部１０４が、図３に示すように、頭部１１ｃと胴部１１ｂとの間の境界領域Ａに食い込んで、ブラインドリベット１０の頭部１１ｃと胴部１１ｂとが切断され、頭部１１ｃが胴部１１ｂから分離される。その際、頭部１１ｃには切断刃１０４のテーパ面１０４ａによって外側に向かう方向の力が加わるので、頭部１１ｃと胴部１１ｂとの分離が容易に行われる。
【０１０４】
すなわち、図３に示すように、刃先部１０４の外周面側に形成されたテーパ面１０４ａによって、ブラインドリベット１０の頭部１１ｃが切断刃１０２に絡み付きにくい形状に変形されて切断されるので、胴部１１ｂから分離された頭部１１ｃが切断刃１０２の外周部に絡み付くことがなく、切断後の頭部１１ｃの処理が容易であり、母材１、２に締結されたブラインドリベット１０を母材１、２を傷つけることなく容易かつ迅速に除去できる。
【０１０５】
この分解装置１００Ａ１によれば、刃先１０３が母材１、２の締結穴１ａ、２ａの中心軸と平行な方向に移動して頭部１１ｃと胴部１１ｂとの境界領域Ａを切断する分解方法であり、従来のドリルを用いて頭部１１ｃを切削して除去する分解方法ではないので、ブラインドリベット１０の分解時に、このブラインドリベット１０が空回りしたり、この空回りによって母材１、２に擦り傷がついたりすることが防止でき、母材１、２からブラインドリベット１０を容易かつ迅速に除去できる。
【０１０６】
また、この分解装置１００Ａ１を用いる分解方法によれば、ブラインドリベット１０の頭部１１ｃや胴部１１ｂをプライヤーやペンチ等の把持工具を用いて掴んで固定する必要もない。従って、例えば、この分解装置１００Ａ１を用いれば、図４に示すように、このブラインドリベット１０の頭部１１ｃの形状が皿状で、その頭部１１ｃが母材１内に埋没していて把持工具で頭部１１ｃを掴むことが困難な場合、ブラインドリベット１０の胴部１１ｂの塑性変形部（カシメ部）１１ｄが母材２に食い込んでいて把持工具でその胴部１１ｂを掴むことが困難な場合でも、母材１、２からブラインドリベット１０を容易かつ迅速に除去できる。［切断力付与手段を有する分解装置の例１]
図１に示す分解装置１００Ａ１を用いての締結部材の分解には、ハンマー等の工具を必要とした。分解装置１００Ａ１を使用する際に余分な工具を必要とするのは、その準備等に手間がかかることになり、あまり望ましいことではない。
【０１０７】
図５はそのハンマー不要の分解装置１００Ａ２の一例を示すものである。この図５に示す分解装置１００Ａ２は切断力付与手段２００を有する。この切断力付与手段２００は本体カバーとしての切断刃支持体２０１と切断力付与部材２０２とからなる。切断刃支持体２０１は筒状（円筒とは限らない）であり、切断刃１０２を矢印ａ２方向に進退動可能に支持している。切断力付与部材２０２は例えば油圧シリンダ又はエアーシリンダから構成されている。切断刃支持体２０１にはその頂部に加圧経路２０１ａが形成されている。この加圧経路２０１ａを通じて油圧シリンダ又はエアーシリンダにオイル又はエアーを送ることにって油圧シリンダ又はエアーシリンダが駆動される。これによって、切断刃１０２が矢印ａ２方向に可動される。
【０１０８】
この油圧シリンダ又はエアーシリンダへのオイル又はエアーの供給手段には、ブラインドリベット１０を母材１、２に締結するためのブラインドリベット締結装置１３の駆動源としてのオイル又はエアーの供給手段をそのまま利用することができる。その切断刃支持体２０１には、作業者が分解装置１００Ａ２を片手で容易に操作できるように、例えば、ピストル型形状の握り部を設けることが望ましい。
【０１０９】
この分解装置１００Ａ２によれば、ハンマー等の工具が不要で、ブラインドリベット締結装置１３と同様のボタン操作によって、切断刃１０２に切断力を付与することができるので、この分解装置１００Ａ２の取り扱いに特殊技能や熟練技術が不要となり、安全性も向上する。
[切断力付与手段を有する分解装置の例２]
図５に示す分解装置１００Ａ２では切断刃１０２に切断力を付与するためにオイル又はエアー供給手段が必要であった。図６、図７はオイル又はエアー供給手段等の外部駆動源を用いなくとも切断刃１０２に切断力を付与できる分解装置１００Ａ３を示している。
【０１１０】
図６はその分解装置１００Ａ３の外観図を示し、図７はその断面図を示している。この分解装置１００Ａ３の切断力付与手段２００は、中空円筒状の切断刃１０２を進退動可能に支持する本体カバーとしての円筒状の切断刃支持体２０１と、その切断刃１０２に切断方向への切断力を付勢する切断力付勢手段としてのコイルスプリング（弾性部材）２０３と、このコイルスプリング２０３に切断刃１０２への付勢力を蓄積させるために、そのコイルスプリング２０３を収縮した状態に保持する切断力蓄積手段としてのストッパー（係止部材）２０４と、このストッパー２０４による切断刃１０２の係止を解除する解除手段（切断力解放手段）としての解除ボタン２０５とから構成されている。
【０１１１】
ストッパー２０４は分解装置本体１０１の外周部に形成され、バネ２０６によって突出方向に付勢されている。切断刃支持体２０１にはそのストッパー２０４に係合する係止穴２０１ｂが形成されている。解除ボタン２０５は切断刃支持体２０１に脱落不能に設けられている。この解除ボタン２０５は解除ピン（解除部材）２０５ａとバネ２０７とを有する。解除ピン２０５ａは係止穴２０１ｂに進入され、バネ２０７は解除ボタン２０５を突出方向に付勢している。
【０１１２】
この分解装置１００Ａ３を用いて、母材１、２に締結されたブラインドリベット１０の分解は以下に説明する手順に従って行う。まず、切断刃１０２の刃先１０３を、ブラインドリベット１０の胴部１１ｂと頭部１１ｃとの境界領域Ａに臨ませ、この状態で、分解装置１００Ａ３の切断刃支持体２０１をブラインドリベット１０の頭部１１ｃに押し付ける。これにより、切断刃１０２がコイルスプリング２０３の伸張力に抗して、このコイルスプリング２０３を収縮させながら切断刃支持体２０１の内部に押し込まれる。
【０１１３】
これによって、コイルスプリング２０３に切断刃１０２への付勢力が蓄積される。ストッパー２０４が係止穴２０１ｂに対向する位置まで達すると、そのストッパー２０４がバネ２０６によって押し出されて係止穴２０１ｂに係合する。これにより、コイルスプリング２０３は付勢力が蓄積された状態に保持される。また、切断刃１０２も切断刃支持体２０１に押し込まれた状態に保持される。
【０１１４】
次に、解除ボタン２０５をバネ２０７の付勢力に抗して切断刃支持体２０１内に押し込むと、解除ピン２０５ａによってストッパー２０４がバネ２０６の付勢力に抗して分解装置本体１０１内に押し込まれる。これによって、ストッパー２０４と係止穴２０１ｂとの係合が解除され、コイルスプリング２０３に蓄積されていた切断力としての伸張力が一気に解放され、切断刃１０２に切断力が与えられる。
【０１１５】
これによって、切断刃１０２の刃先部１０４が境界領域Ａに沿って食い込んで、その境界領域Ａが切断され、胴部１１ｂと頭部１１ｃとが分離される。この分解装置１００Ａ３によれば、オイル又はエアー供給手段等の外部駆動源を用いずに、その切断刃１０２に切断力を付与できるので、身近に外部駆動源がない場所で分解作業を行うときに好適である。
【０１１６】
この分解装置１００Ａ３では、切断刃１０２の外周部に段部１０５が形成され、切断刃支持体２０１の内周部にはその段部１０５に係合する段部２０８が形成されている。この段部１０５と段部２０８とは、図８に拡大して示すように、切断刃１０２の刃先１０３がブラインドリベット１０の頭部１１ｃと母材１との境界面近傍の切断分離箇所に達し、かつ、切断刃１０２の刃先部１０４の外周面が母材１の締結穴１ａの縁部近傍に達したときに、切断刃１０２がこれ以上切断方向に移動されるのを阻止する役割を果たす。これによって、切断刃１０２の切断による母材１の損傷を確実に回避できる。この段部１０５と段部２０８とは、分解装置１００Ａ２にも同様の理由で設けられている。
【０１１７】
この分解装置１００Ａ３にも分解装置１００Ａ１と同様に、刃先部１０４にテーパ面１０４ａが図９に示すように形成されている。このテーパ面１０４ａは分解装置１００Ａ１の刃先部１０４に設けられているテーパ面１０４ａと同様の作用を果たす。このテーパ面１０４ａの傾斜角度θ１は、図８に示すように、切断刃１０２の刃先部１０４が頭部１１ｃと母材１との切断分離箇所に達した状態で、刃先部１０４のテーパ面１０４ａが母材１の締結穴１ａの縁部近傍に位置する程度の角度に設計されていることが望ましい。
【０１１８】
すなわち、テーパ面１０４ａの傾斜角度θ１を上述のように設計することによって、境界領域Ａの切断時に、刃先部１０４のテーパ面１０４ａと母材１の締結穴１ａの縁部との干渉を回避することができることになり、境界領域Ａの切断時に母材１の損傷を防止できる。分解装置１００Ａ１、１００Ａ２も同様である。
【０１１９】
この刃先部１０４のテーパ面１０４ａの高さｈ１は、図１０に示すように、頭部１１ｃの切断刃１０２によって切断される境界領域Ａの高さｈ２以上であることが望ましい。すなわち、ｈ１≧ｈ２。
【０１２０】
刃先部１０４のテーパ面１０４ａの高さｈ１をｈ１≧ｈ２とすることによって、胴部１１ｂから分離された頭部１１ｃの切断刃１０２への絡みつきを確実に防止できる。分解装置１００Ａ１、１００Ａ２も同様である。
【０１２１】
いいかえると、切断力付与手段２００により切断手段１０２に与えられる切断力は、少なくとも境界領域Ａの胴部１１ｂと頭部１１ｃとが互いに分離される分離箇所にテーパ面（傾斜部）が重なる程度の大きさであるとよい。
【０１２２】
また、外周面側に形成された傾斜部の先端の径が胴部１１ｂの外径よりも小さく、切断刃１０２の円筒部の外径が胴部１１ｂの外径以上で、切断力付与手段２００により切断手段に与えられる切断力を、境界領域Ａの胴部と頭部とが互いに分離される分離箇所に傾斜部が重なるようにかつ先端が前記胴部に食い込むようにして締結部材に与えても良い。
【０１２３】
更に言えば、切断手段を円筒部とこの円筒部に連続的に形成された傾斜部とから構成し、傾斜部の先端の径を締結穴の穴径以下でかつ前記境界領域を切断可能な大きさとし、切断手段によって、境界領域における胴部と頭部とが互いに分離する分離箇所に傾斜部が重なるようにして締結部材を切断しても良い。
【０１２４】
なお、切断手段によって、境界領域Ａの胴部１１ｂと頭部１１ｃとが互いに分離される分離箇所に傾斜部が重なるようにしてかつ先端部が胴部１１ｂに食い込むようにして締結部材を切断しても良い。
[切断刃１０２の刃先部１０４の内周面にテーパ面を設けた分解装置の例]
図１１は切断刃１０２の刃先部１０４の内周面にテーパ面を設けた分解装置１００Ａ４を示している。その切断刃１０２の外径ｄ３は、母材１の締結穴１ａの穴径ｄ１よりも小径（ｄ１＞ｄ３）に形成されている。この分解装置１００Ａ４によれば、胴部１１ｂが切断刃１０２に絡みつきにくい形状に内側に向けて変形されて切断されるので、切断刃１０２から胴部１１ｂを容易に取り除くことができる。この分解装置１００Ａ４を用いれば、ピン締結によって母材１、２にカシメ付けられたピン６、軸７或いは頭部１１ｃが皿状のブラインドリベット１０を分解するのに最適である。
【０１２５】
すなわち、ピン６の端部は、例えば図１２に示すように母材１、２にセットされかつカシメ治具１７に支持されてポンチ１６ａによって叩かれて塑性変形され、母材１、２にカシメ付けられている。そのポンチ１６ａはカシメマシン１６のスピンヘッド１６ｂに取り付けられ、空圧ピストン１６ｃによって叩かれる。
【０１２６】
この種のピン締結の場合、ピン６、軸７の母材１、２に対する締結力を向上させるため、又は、ピン６、軸７のカシメ部としての頭部１１ｃの母材１、２からの突出量を少なくするために、図１３に示すように、母材１の締結穴１ａの縁部１ｂに、面取り、座ぐりなどの処理が施されている。なお、この図１３では軸７によって母材１と母材２とが締結されている状態が示されている。
【０１２７】
このピン６、軸７のカシメ部は頭部１１ｃが皿状に形成されているブラインドリベット１０の場合と同様に、母材１の締結穴１ａに食い込んだ状態で、母材１に締結されている。このように、母材１の締結穴１ａにカシメ部１１ｃが食い込んだピン６、軸７又は頭部１１ｃが皿状のブラインドリベット１０を、刃先部１０４の外周部に傾斜面１０４が形成されている分解装置１００Ａ１〜１００Ａ３を用いて分解した場合には、頭部１１ｃが外側に向かって変形されるので、母材１の締結穴１ａの縁部１ｂが損傷するおそれがある。
【０１２８】
これに対して、図１３、図１４に示すように、母材１の締結穴１ａに頭部１１ｃが食い込んだ形状のピン６、軸７の境界領域Ａ、あるいは、ブラインドリベット１０の皿状の頭部１１ｃと胴部１１ｂとの境界領域Ａを、切断刃１０２の刃先部１０４の内周部にテーパ面１０４ａが形成されている分解装置１００Ａ４を用いて分解する場合には、そのテーパ面１０４ａによって、頭部１１ｃが外側に向けて変形することが抑制されるので、母材１の締結穴１ａの縁部１ｂが傷つくことを防止できる。
【０１２９】
その分解装置１００Ａ４の切断刃１０２の外径ｄ３は、図１３に示すように、母材１の締結穴１ａの穴径ｄ１よりも小径で、かつ、軸７（ピン６）の胴部１１ｂの外径ｄ４よりも大きいことが望ましい（ｄ１＞ｄ３≧ｄ４）。また、図１４に示すように、切断刃１０２の切断時の移動ストロークＨ１は、頭部１１ｃの切断部の厚さ（切断刃１０２の刃先１０３の食い込み量）ｈ３と、切断部の表面から切断刃１０２の刃先１０３の原点位置までの離間距離ｈ４（ｈ４＝０を含む）との和（ｈ３＋ｈ４）となるように設定しておくのが望ましい。
【０１３０】
このように設定しておくと、境界領域Ａの切断時に、切断刃１０２の刃先１０３を母材１の締結穴１ａと軸７（ピン６）の胴部１１ｂとの間で、かつ、胴部１１ｂと頭部１１ｃとの境界領域Ａに位置させることができるので、境界領域Ａの切断時に加わる刃先部１０４への負荷を小さくすることができ、かつ、あまりバリを発生させることなく、胴部１１ｂから頭部１１ｃを分離することができる。[切断刃位置決め部材を備えた分解装置の例１]
図１５は切断刃位置決め部材３００を設けた分解装置１００Ｂを示し、分解装置１００Ａ３（図７参照）の改良品であり、図１６は切断刃位置決め部材３００を設けた分解装置１００Ｃを示し、分解装置１００Ａ４（図１１参照）の改良品である。その切断刃位置決め部材３００はブラインドリベット１０の軸穴１１ａに嵌合されて、ブラインドリベット１０の境界領域Ａを切断する際に切断刃１０２の位置決めを行う。この切断刃位置決め部材３００は切断刃１０２の中央部に配設されて、軸穴１１ａの軸方向に進退動可能に支持されている。この切断刃位置決め部材３００と切断刃１０２との間には、切断刃位置決め部材３００を突出する方向に付勢するコイルバネ３０１が配設されている。切断刃位置決め部材３００の先端部（嵌合部）３００ａは、通常、そのコイルバネ３０１によって刃先部１０４から突出している。
【０１３１】
分解装置１００Ｂを用いての位置決め作用と分解装置１００Ｃの位置決め作用とは同じであるので、分解装置１００Ｃを用いての位置決めについて説明する。
【０１３２】
まず、図１６に示すように、切断刃位置決め部材３００の先端部３００ａを軸穴１１ａに嵌合させる。これによって、切断刃１０２の切断位置が位置決めされ、軸穴１１ａが切断基準位置決め部となる。この分解装置１００Ｃを用いて、ブラインドリベット１０の境界領域Ａを切断したときには、境界領域Ａの切断時に、切断刃１０２の切断位置がずれるのを防止できるので、ブラインドリベット１０の胴部１１ｂから頭部１１ｃを確実に分離でき、かつ、バリの発生も極めて少なくなる。また、切断刃位置決め部材３００は切断刃１０２に対して軸穴１１ａの延びる方向に進退動可能であるので、切断刃１０２の切断方向の可動を阻害されることがなく、従って、境界領域Ａの切断も確実である。
【０１３３】
加えて、切断刃位置決め部材３００はコイルバネ３０１によって軸穴１１ａの嵌合方向に付勢されているので、軸穴１１ａへの切断刃位置決め部材３００の嵌合操作も容易である。この切断刃位置決め部材３００に軸除去力を付与するためにコイルバネ３０１を用いても良い。
[切断刃位置決め部材を備えた分解装置の例２]
図１７は図１５に示す分解装置１００Ｂの更に改良品を示している。ここでは、分解装置１００Ｂの切断刃１０２の刃先１０３の径ｄ５は、母材１の締結穴１ａの穴径ｄ１よりも小径で、かつ、ブラインドリベット１０の胴部１１ｂの外径ｄ４よりも大きく形成されている（ｄ１＞ｄ５≧ｄ４）。また、この分解装置１００Ｂの切断時の移動ストロークＨ１は、図１８に示すように、頭部１１ｃの切断部の厚さ（切断刃１０２の刃先１０３の食い込み量）ｈ５と、この切断部の表面からこの刃先１０３の原点位置までの離間距離ｈ６（ｈ６＝０を含む）との和（ｈ５＋ｈ６）となるように設定するのが望ましい。
【０１３４】
このように設定することによって、境界領域Ａの切断時に、切断刃１０２の刃先１０３を、締結穴１ａと胴部１１ｂとの間でかつこの胴部１１ｂと頭部１１ｃとの境界領域Ａに位置させることができ、境界領域Ａの切断時に加わる刃先部１０４への負荷を小さくすることができる。また、バリをあまり発生させることなく胴部１１ｂから頭部１１ｃを確実に分離できる。
[着脱可能な切断刃を備えた分解装置の例]
図１９は着脱可能な切断刃１０２を備えた分解装置１００Ｂ１を示し、この分解装置１００Ｂ１は分解装置１００Ｂの改良品であり、図２０は着脱可能な切断刃１０２を備えた分解装置１００Ｃ１を示し、この分解装置１００Ｃ１は分解装置１００Ｃの改良品である。図１９に示す分解装置１００Ｂ１では、分解装置本体１０１の外周部にネジ部１０１ａが形成され、切断刃１０２の内周部にはそのネジ部１０１ａに螺合するネジ部が形成されて、切断刃１０２は分解装置本体１０１に着脱可能に螺合固定されている。図２０に示す分解装置１００Ｃ１では分解装置本体１０１の内周部にネジ部１０１ａが形成され、切断刃１０２の外周部にネジ部１０１ａに螺合するネジ部が形成されている。この分解装置１００Ｂ１、１００Ｃ１は、切断刃１０２を分解装置本体１０１と螺合する方向と逆方向に回すことによって、切断刃１０２を分解装置本体１０１から取りはずことができる。
【０１３５】
この分解装置１００Ｂ１、１００Ｃ１によれば、分解対象としての締結部材の寸法、形状、サイズに応じて、締結部材に見合った切断刃１０２の刃先部１０４のみを交換することができ、締結部材の寸法、形状、サイズ毎に仕様の異なる分解装置を多数準備する必要がないので便利である。また、切断刃１０２の刃先１０４を研磨する必要が生じたときにも、分解装置本体１０１から刃先部１０４のみを取り外して研磨できることになり、研磨作業も容易である。
【０１３６】
加えて、この研磨作業等によって刃先部１０４の切断方向の寸法が短くなったとしても、分解装置本体１０１と切断刃１０２との軸方向への螺合位置を調整することにより、刃先１０３を常時一定位置に位置させることができる。
[締結部材分解時の衝撃緩和を緩和するための分解装置の例１]
締結部材の胴部と頭部との境界領域Ａを上述の分解装置によって分解する際に、締結部材に相応の衝撃が加わり、この衝撃の度合い、母材１、２の厚さ、材質によって、その母材１、２の締結穴周辺の締結部位が変形する等の悪影響を受けるおそれがある。
【０１３７】
ここで、ピン締結の場合には、図１２に示すように、カシメマシン１６を用いて母材１、２にピン６（軸７）をカシメ付ける際にこのピン６（軸７）を支持するカシメ治具１７を、ピン６（軸７）の境界領域Ａの切断の際のサポート部材（支承手段）として使用することによって、境界領域Ａの切断の際の衝撃を受け止めることができ、その母材１、２に加わる衝撃によって締結部位が悪影響を受けるのを防止できる。また、ソリッドリベット８、チューブラリベット９を用いてのリベット締結の場合にも、ピン締結のときと同様にカシメ治具を用いることができるので、境界領域Ａの切断時にカシメ治具をサポート部材として使用して、切断の際の衝撃を受け止めることができ、母材１、２の締結部位への悪影響を回避できる。
【０１３８】
しかしながら、母材１、２への締結部材の締結時に、カシメ治具のようなサポート部材を使用しないブラインドリベット１０のような締結部材の場合には、切断時の衝撃によって、母材１、２の締結部位が悪影響を受けるおそれが高い。そこで、図２１に示す構成の締結部材を支承するサポート部材（支承手段）４０’を用いるのが望ましい。このサポート部材４０’を用いることによって、締結部材の境界領域Ａの切断時に、母材１、２が悪影響を受けるのを防止できる。
【０１３９】
その図２１に示すサポート部材４０’は、例えば、図２２に示すフレーム５０’に配設されている。そのフレーム５０’にはサポート部材４０’の上方に臨むようにして分解装置１００Ａ’が支持され、サポート部材４０’は高さ調整ネジ６０’によって高さ調整可能とされている。この高さ調整ネジ６０’を回転させると、サポート部材４０’を切断刃１０２に対して離反・接近する方向に移動させることができ、これによって、サポート部材４０’に支承された締結部材の切断刃１０２に対する支承高さ位置を調整できる。
【０１４０】
そのサポート部材４０’には、例えば、図２１に示すように、ブラインドリベット１０の胴部１１ｂのカシメ付け部１１ｄが嵌合する凹部４０ａを設けることが好ましい。この凹部４０ａを有するサポート部材４０’を用いる場合、ブラインドリベット１０のカシメ付け部１１ｄをこの凹部４０ａに示すように嵌合させることによって、ブラインドリベット１０の境界領域Ａの切断時に、ブラインドリベット１０の揺動又は盲動を防止できるので、境界領域Ａの切断をより一層確実に行うことができる。
【０１４１】
このサポート部材４０’は、吸着部４０ｂを有する構成とするのがより望ましい。母材２が鉄板等の磁性体である場合には、吸着部４０ｂを永久磁石等の磁性体で構成するのがより望ましい。このように、サポート部材４０’に吸着部４０ｂを設ける構成とすれば、母材２を磁力によってサポート部材４０’に吸着させることができるので、サポート部材４０’に対する母材２のセットが容易である。また、この母材２をサポート部材４０’に吸着させることによって、ブラインドリベット１０の境界領域Ａの切断の際に、ブラインドリベット１０の揺動をより一層確実に防止でき、境界領域Ａをより確実に切断できる。
[締結部材分解時の衝撃緩和を緩和するための分解装置の例２]
図２３は分解装置１００Ａ’と締結部材のサポート部材とを備えた分解装置構造体を示している。符号７０’はこの分解装置構造体を示している。この分解装置構造体７０’は切断刃１０２を保持する切断刃保持部材７１と、この切断刃１０２によって締結部材に加えられる切断力に抗して締結部材を支承するサポート部材（締結部材載置台）７２と、切断刃保持部材７１を上下動させて切断刃１０２に切断力を付与する切断力付与手段７３とを備えている。この切断力付与手段７３には油圧シリンダ又はエアシリンダが用いられる。切断力保持部材７１、締結部材支承部材７２、切断力付与手段７３は分解装置構造体７０’の本体フレーム７４に固定されている。ここでは、サポート部材７２には母材１、２を締結する締結部材としてブラインドリベット１０が載置されている。
【０１４２】
切断刃保持部材７１は切断刃１０２を着脱交換可能に保持するチャック部材、例えば、コレットチャック部材によって構成されているのが好ましい。このチャック部材を用いることによって、分解対象となる締結部材の仕様に見合うように、切断刃１０２を交換する際に、その切断刃１０２の着脱操作が容易となる。
【０１４３】
ここでは、サポート部材７２は、本体フレーム７４と一体の水平テーブル７５の下面に配設されたエアーシリンダー７６と、このエアーシリンダー７６によって上下方向に進退するシリンダ軸７７とによって、上下方向に可動されて、切断刃１０２に離反接近可能とされている。このように、サポート部材７２を上下方向に可動させることによって、切断刃１０２の寸法等に応じて、刃先１０３に対するブラインドリベット１０の高さを任意に調整できることになる。そのサポート部材７２には、締結部材のカシメ部１１ｄに嵌合する形状の凹部７２ａが設けられている。この凹部７２ａの構造及び機能はサポート部材４０’の凹部４０ａと同様であるのでその説明を省略する。
【０１４４】
このものでは、切断力付与手段７３を駆動して切断刃１０２を上下方向に進退させることによって、切断刃１０２に切断力が付与される。これによって、ブラインドリベット１０の境界領域Ａが切断され、ブラインドリベット１０の胴部１１ｂから頭部１１ｃが分離され、ブラインドリベット１０が母材１、２から除去される。
[母材に対する位置決め部材を備えた分解装置の例１]
図２４は母材に対する位置決め部材を備えた分解装置１００Ｄの断面図を示している。この分解装置１００Ｄは分解装置１００Ｂの改良品であって、この図２４において、分解装置１００Ｂの構成要素と同一構成要素については、分解装置１００Ｂに付した符号と同一符号を付することとする。
【０１４５】
この分解装置１００Ｄは切断刃支持体２０１に当接部材５０が設けられている。この当接部材５０は母材１に当接する当接部５１を有する。この当接部５１はブラインドリベット１０の頭部１１ｃを切断する際に母材１に当接される。この当接部材５０の内径ｄ６は少なくとも刃先部１０４の外径ｄ３よりも大きく形成されている。その当接部５１は母材１が鉄板製である場合には、この母材１を吸着する永久磁石からなることが望ましい。この当接部５１は、例えば、永久磁石そのものを当接部材５０１に埋め込むことによって構成するか、当接部５１に磁性粉末を混入して、この磁性粉末を磁化することによって永久磁石を構成する。
【０１４６】
この分解装置１００Ｄによれば、ブラインドリベット１０の胴部１１ｂと頭部１１ｃとの境界領域Ａに沿ってブラインドリベット１０の胴部１１ｂと頭部１１ｃとを切断するときに、当接部５１が母材１に当接されて、切断刃支持体２０１と母材１との位置関係（母材１と切断刃１０２との位置関係）が一定に保たれる。
【０１４７】
従って、切断時に、作業者の切断刃支持体２０１の保持の仕方いかんによって、切断刃１０２に与えた切断力の反力によって切断刃支持体２０１の位置がずれて切断刃１０２の移動ストロークが変化したり、切断刃１０２の中心が頭部１１ｃの中心からずれたり、切断刃１０２の移動方向が締結穴１ａの軸方向に対して斜めに傾いたりすることを防止できる。
【０１４８】
ひいては、この分解装置１００Ｄを用いると、母材１、２に締結されているブラインドリベット１０を、母材１、２を損傷することなく１回の操作で円滑かつ確実に母材１、２から除去できる。
【０１４９】
当接部５１に吸着力を与えた場合には、母材１と当接部５１との密着力が高まるので、切断の際に切断刃支持体２０１と母材１との位置精度が向上する。また、切断の際に作業者が切断刃支持体２０１を母材１に強く押し付けずとも、母材１に当接部５１を密着させることができるので、切断時の作業者の負担も軽減される。当接部５１の磁力は切断刃１０２に付与される切断力の反力に抗して、当接部５１と母材１とを密着状態に維持させる力を有していることが望ましい。このようにすれば、ブラインドリベット１０の境界領域Ａの切断時に切断力の反力が加わったとき、作業者が切断刃支持体２０１を掴んでいなくとも、当接部５１の磁力によって母材１に分解装置１００Ｄを密着状態に維持することができるので、作業者の負担を大幅に軽減できる。
【０１５０】
ここでは、当接部材５０の外周部にネジ部５２が設けられ、切断刃支持体２０１の内周部には、このネジ部５２に螺合するネジ部が設けられている。このように、切断刃支持体２０１と当接部材５０とを構成すれば、当接部材５０を切断刃支持体２０１に着脱交換可能とすることができ、例えば、分解対象となる締結部材の寸法に応じて、当接部材５０を交換することによって、その締結部材の寸法に見合うように切断刃１０２の移動ストロークを変更できることになり、従って、締結部材の寸法毎に切断刃１０２の移動ストロークが異なる専用の分解装置を多数準備する必要がなくなる。
【０１５１】
また、当接部材５０と切断刃支持体２０１との螺合位置を調整することによって、当接部材５０の切断刃１０２の切断方向に対する位置関係を調整できる。このようにすれば、例えば、切断刃１０２の刃先１０３を研磨等することによって、刃先部１０４の切断方向の寸法が変化した場合でも、切断刃支持体２０１に対して当接部５１を切断方向に進退させることによって、切断刃１０２の刃先１０３が母材１に対して常に一定位置に臨むように刃先１０３の位置を調整できる。また、当接部材５０を交換せずとも、分解対象となる締結部材の寸法に応じて、締結部材の寸法に見合うように、切断刃１０２の移動ストロークを変更できる。[母材に対する位置決め部材を備えた分解装置の例２]
図２５は母材に対する位置決め部材を備えた分解装置１００Ｄ’の部分断面図を示している。この分解装置１００Ｄ’は分解装置１００Ｄの改造品であり、この分解装置１００Ｄ’には切断刃位置決め部材３００が設けられていないが、切断刃位置決め部材３００を設けても良い。
【０１５２】
この図２５においては、当接部材５０の当接部５１は、母材１に当接する当接面５０ａと頭部１１ｃに当接する当接面５０ｂとを有している。この分解装置１００Ｄ’によれば、例えば、締結不良等によって母材１、２とブラインドリベット１０との間に、遊び（ガタツキ）があるような場合でも、当接面５０ａが母材１を押さえ付け、当接面５０ｂが頭部１１ｃを押さえ付けて、母材１、２と頭部１１ｃとの位置関係を切断の際に固定できるので、ブラインドリベット１０の境界領域Ａの切断を円滑かつ迅速に行うことができる。また、切断刃１０２によって頭部１１ｃを切断後、切断刃１０２が元の位置に復帰する際にも、当接面５０ｂによって頭部１１ｃが押さえ付けられるので、切断された頭部１１ｃが切断刃１０２に絡みつくことを防止でき、切断作業効率が向上する。
【０１５３】
図２６は母材に対する位置決め部材を備えた分解装置１００Ｄ’の改良品を示す。この図２６に示す分解装置１００Ｄ’では当接面５０ｂにスポンジ又はゴム等の弾性部材５３が設けられている。この弾性部材５３を設けることによって、頭部１１ｃに対する当接面５０ｂの圧着性が向上され、切断時に、切断刃１０２に対する頭部１１ｃの位置ズレがより一層確実に解消される。
【０１５４】
なお、当接面５０ｂは頭部１１ｃの外周部に当接するテーパ面形状とするのが望ましい。このテーパ面形状の当接面５０ｂを用いると、切断時に、頭部１１ｃの外周部に当接面５０ｂが頭部の周回り方向から当接して頭部１１ｃを保持することになるので、切断刃支持体２０１の頭部１１ｃに対する切断方向と直交する方向への位置ズレを防止でき、胴部１１ｂと頭部１１ｃとの境界領域Ａを確実かつ正確に切断できる。
【０１５５】
図２７は更に母材に対する位置決め部材を備えた分解装置１００Ｄ’の改良品を示している。この図２７に示す分解装置１００Ｄ’では、当接面５０ｂは頭部１１ｃの外周部にほぼ密着して嵌合する凹部形状を呈している。このように、当接面５０ｂを頭部１１ｃの外周部に密着する凹部形状とすると、切断時に当接面５０ｂが頭部１１ｃの外周部に密着して嵌合し、切断刃支持体２０１の頭部１１ｃに対する切断方向と直交する方向への位置ズレがより一層確実に解消されるので、境界領域Ａを確実かつ正確に切断できる。
【０１５６】
図２８は更に母材に対する位置決め部材を備えた分解装置１００Ｄ’の改良品を示している。この図２８に示す分解装置１００Ｄ’には、当接面５０ｂに頭部１１ｃに食い込んで頭部１１ｃを保持する保持部材（食い込み突起）５４が設けられている。このものも、同様に、締結不良等によって母材１、２とブラインドリベット１０との間に、遊び（ガタツキ）があるような場合でも、保持部材５４によって頭部１１ｃを保持できる。従って、ブラインドリベット１０の境界領域Ａの切断を円滑かつ迅速に行うことができる。また、切断刃１０２によって頭部１１ｃを切断後、切断刃１０２が元の位置に復帰する際にも、保持部材５４によって頭部１１ｃが押さえ付けられているので、切断された頭部１１ｃが切断刃１０２に絡みつくことが防止される。
[締結部材を把持する分解装置の例]
図３３は、締結部材を把持する分解装置１００Ｅの断面図を示している。この分解装置１００Ｅは、スピンカシメ等のピン締結、リベット締結、バーリングカシメ等に用いる締結部材に適用できるが、ここでは、便宜上、ソリッドリベット８を分解対象として説明する。
【０１５７】
その分解装置１００Ｅは、把持ユニット１２９と切断刃ユニット１４１とからなる。把持ユニット１２９は、図２９に示すように、頭部１１ｃを把持するためのホルダー１３０とこのホルダー１３０を締め付けるための締め付け部材１３２とから構成されて、いわゆる、コレットチャック構造になっている。
【０１５８】
ホルダー１３０は円筒状部１３１とテーパ部１３３とを有する。テーパ部１３３の下部には円筒状部１３１と同芯でかつ半径方向内方に向かって徐々に傾斜するチャック爪１３４が形成されている。そのチャック爪１３４の先端１３５は尖っている。
【０１５９】
ホルダー１３０にはテーパ部１３３を弾性変形させて、チャック爪１３４を互いに接近させる方向に移動させるための切り欠き溝１３６が図３０に示すように形成されている。締め付け部材１３２は円筒状部１３１に嵌合する嵌合筒体から構成され、この嵌合筒体の内周面には、テーパ部１３３に対応するテーパ部１３７が形成されている。
【０１６０】
図３１はそのホルダー１３０に締め付け部材１３２を嵌合させた状態を示し、締め付け部材１３２を下方に押し下げると、図３２に示すように、テーパ部１３７によってテーパ部１３３が縮径される方向（チャック爪１３４が締め付けられる方向）に弾性変形され、チャック爪１３４の先端１３５によって形成される仮想円Ｂ１の直径Ｂ２が小さくなる。
【０１６１】
図３２（ａ）は把持ユニット１２９をソリッドリベット８の頭部１１ｃに係合させる直前の状態を示す。締め付け部材１３２を押し下げると、この図３２（ａ）に示すように、矢印Ｃ１、Ｃ２方向の力がテーパ部１３３に加わり、チャック爪１３４が頭部１１ｃと母材１との間に入り込んで、図３２（ｂ）に示すように、把持ユニット１２９が頭部１１ｃに係合されて、把持ユニット１２９がソリッドリベット８と母材１とに対して固定される。これによって、ホルダー１３０の中心軸と胴部１１ｂの軸心とが一致した状態となる。この把持ユニット１２９は切断刃支持体としての機能も果たす。
【０１６２】
切断刃ユニット１４１は、円筒状又は円柱状の分解装置本体１４２とこれに連続して一体の円筒状の切断刃１４２Ａと押し出し部材１４３とから構成されている。切断刃１４２Ａはその先端部分に刃先部１４２Ｂを有する。その刃先部１４２Ｂは先端から傾斜されており、刃先部１４２Ｂはその先端に母材１、２の締結穴１ａ、２ａの内径ｄ１、ｄ２よりも小径の刃先１４２Ｃが設けられている。その刃先部１４２Ｂは締結穴１ａ、２ａの内周面に略平行なソリッドリベット８の胴部１１ｂと頭部１１ｃとの胴部軸方向の境界領域Ａに沿った略円筒形状を呈している。分解装置本体１４２にはその軸方向に延びる挿通孔１４２Ｄが形成されている。押し出し部材４３はその挿通孔１４２Ｄに挿通されている。
【０１６３】
この切断刃ユニット１４１は、図３３に示すように、ホルダー１３０の円筒状部１３１にその軸方向に進退可能に配設されて、図示を略すエアーシリンダ又は油圧シリンダ又は手動によって駆動される。押し出し部材１４３は切断刃ユニット１４１に対して上下方向に進退可能である。なお、締め付け部材１３２を下方に押し下げる手段には、円筒状部１３１の外周部と締め付け部材３２の内周部とにネジ部を設け、ホルダー１３０を締め付け部材１３２に対して回転させて軸方向に進退させる構成も考えられる。
【０１６４】
次に、分解装置１００Ｅの作用について説明する。把持ユニット１２９のチャック爪１３４の先端１３５が頭部１１ｃと母材１との間に入り込んで係合され、胴部１１ｂの軸芯と把持ユニット１２９の中心軸線と切断刃ユニット１４１の中心軸線とが一致して、把持ユニット１２９が固定されているものとする。図示を略す切断力付与手段としてのエアーシリンダーによって切断刃１４２Ａ（切断刃ユニット１４１）を矢印ａ３方向に可動させると、境界領域Ａに沿って胴部１１ｂと頭部１１ｃとが分離される。境界領域Ａの切断後、切断刃ユニット１４１はエアーシリンダによって元の位置に復帰される。
【０１６５】
この切断の際、胴部１１ｂの軸芯と切断刃ユニット１４１の中心軸線とが一致した状態で固定されているので、切断刃１４２Ａによって境界領域Ａを正確に切断できる。また、把持ユニット１２９のチャック爪１３４が頭部１１ｃと係合しているので、切断時の衝撃（切断刃１４２Ａが頭部１１ｃに衝突するときの反力）を把持ユニット１２９と切断刃ユニット１４１とによって吸収でき、母材１、２に衝撃が与えられることを防止でき、母材１、２の損傷が防止される。
【０１６６】
この分解装置１００Ｅでは、胴部１１ｂと頭部１１ｃとを分離したときに、胴部１１ｂが母材１、２の締結穴１ａ、２ａに圧接されたまま止まっている可能性があるために、この胴部１１ｂを強制的に締結穴１ａ、２ａから除去するために、エアーシリンダーによって押圧力付与手段としての押し出し部材１４３を矢印ａ３方向に駆動する。これによって、締結穴１ａ、２ａに止まっている胴部１１ｂを締結穴１ａ、２ａから除去できる。押し出し部材１４３は、胴部１１ｂの除去終了後、元の位置に復帰される。これによって、ソリッドリベット８を母材１、２から除去して母材１と母材２との締結を解除できる。
【０１６７】
[分解装置１００Ｅのチャック爪１３４の頭部１１ｃへの食い込みを容易にするための方法１]
頭部１１ｃと母材１との間に隙間がないと、分解装置１００Ｅのチャック爪１３４を頭部１１ｃと胴部１１ｂとの間に容易に食い込ませることができない。そこで、この食い込みを容易にするために、ソリッドリベット８の頭部１１ｃであって、母材１に臨む側の下部に図３４（ａ）に示すように傾斜部２１Ａを形成する。この傾斜部２１Ａの傾斜角度θ２は図３５に示すチャック爪１３４の傾斜角度θ３とほぼ同じかこれよりも若干大きく形成されている。この傾斜部２１Ａはアルミニウム系のリベットよりも鉄系のリベットに設けることが望ましい。鉄系のリベットは材質が固いため、傾斜部２１Ａを設けないとチャック爪１３４を食い込ませにくいからである。このソリッドリベット８を分解する際には、分解装置１００Ｅを用いて図３６に示すように、チャック爪１３４を食い込ませれば良い。
【０１６８】
そのソリッドリベット８は、図３４（ｂ）に示すように、頭部１１ｃの下部に段差部２１Ｂを有する段差付きのものであっても良く、この場合には、チャック爪１３４は鋭角でなくても良く、図３７に示すように、把持ユニット１２９のチャック爪１３４の先端１３５は厚さｔ２の厚肉片から構成される。この厚さｔ２は段差部２１Ｂの高さｔ１よりも若干小さい。この図３７に示す把持ユニット１２９は図３８に示すようにソリッドリベット８の頭部１１ｃに形成された段差部２１Ｂをチャック爪１３４の先端１３５によって把持する。なお、この段差部２１Ｂはアルミニウム系リベットよりも硬い鉄系リベットに設けるのが望ましい。[分解装置１００Ｅのチャック爪を頭部と母材１との間に食い込ませなくて固定ユニットを固定する例]
ここでは、ソリッドリベット８の頭部１１ｃは、通常のソリッドリベット８の頭部１１ｃよりも肉厚に形成され、図３４（ｃ）に示すように、肉厚部２１Ｃを有する。この肉厚部２１Ｃは図３７に示す厚肉片からなるチャック爪１３４によってその外周部が図３８に示すように把持される。この図３４（ｃ）に示すソリッドリベット８を用いた場合、図３４（ａ）、図３４（ｂ）に示すソリッドリベット８に較べて把持力が若干劣るが、図３４（ａ）、図３４（ｂ）に示すソリッドリベット８に較べてその製造コストを安くすることができる。
[分解装置１００Ｅのチャック爪の頭部への食い込みを容易にするための方法２]この発明の実施形態では、図３９に示すように、ソリッドリベット８の頭部１１ｃと母材１との間にスペーサー部材（補助部材）としてのカラー２１Ｄが介在され、このカラー２１Ｄとソリッドリベット８とによって母材１と母材２とが締結される。
【０１６９】
すなわち、図３９（ａ）に示すソリッドリベット８の胴部１１ｂにカラー２１Ｄを挿通し、図３９（ｂ）に示すように胴部１１ｂを締結穴１ａ、２ａに挿入して、胴部１１ｂの突出端部をカシメ付けることによって、図３９（ｃ）に示すように、母材１と母材２とが締結される。
【０１７０】
そのカラー２１Ｄは、図４０（ａ）に示す平面形状を呈しており、その内径ｄ７は胴部１１ｂの外径ｄ４よりも大きい。また、カラー２１Ｄの外径ｄ７’は頭部１１ｃの外径ｄ８よりも小さい。このカラー２１Ｄはソリッドリベット８の分解の際に破壊される。この破壊を容易にするために、カラー２１Ｄにはスリ割り２１Ｅが形成されている。このカラー２１Ｄには、カシメ方向の圧縮力には強く、かつ、半径方向内方の中心へ向かう圧縮力に対しては弱い材質を用いるのが望ましい。例えば、カラー２１Ｄには粘り気のない鉄系の焼結合金を使用する。
【０１７１】
ここでは、チャック爪１３４の先端１３５の厚さｔ２はカラー２１Ｄの厚さｔ３よりも若干小さく形成されている。これによって、チャック爪１３４が頭部１１ｂと母材１との間の隙間に容易に挿入される。
【０１７２】
この把持ユニット１２９のチャック爪１３５を、図４１に示すように、カラー２１Ｄの周面に係合させて把持する。次に、締め付け部材１３２を徐々に下降させる。すると、チャック爪１３４の先端１３５が互いに接近する方向に移動し、カラー２１Ｄがその周面から圧縮される。更に、チャック爪１３４の先端１３５を絞り込むと、カラー２１Ｄが破壊される。このカラー２１Ｄが破壊された時点で、把持ユニット１２９を一旦母材１から取り外して、カラー２１Ｄを除去する。次に、カラー２１Ｄの除去によってできた隙間１３８（図４２参照）にチャック爪１３４の先端１３５を再び挿入して、把持ユニット１２９を固定する。このとき、チャック爪１３４の先端１３５が胴部１１ｂの周面に当接するまで締め付け部材１３２を押し下げる。これにより、把持ユニット１２９がソリッドリベット８の胴部１１ｂに確実に固定される。
【０１７３】
次に、図４３に示すように、図示を略すエアーシリンダによって、切断刃ユニット４１を矢印ａ３方向に駆動して、胴部１１ｂと頭部１１ｃとを境界領域Ａに沿って切断する。そして、この切断後、押し出し部材１４３を矢印ａ３方向に駆動して、胴部１１ｂを締結穴１ａ、２ａから除去する。この構成によっても、切断時の衝撃を把持ユニット１２９と切断刃ユニット１４１とによって吸収できるので、母材１、２に衝撃を与えることが防止され、母材１、２の損傷が防止される。
【０１７４】
ここでは、ソリッドリベット８を分解する前に、あらかじめ、カラー２１Ｄを破壊する方法について説明したが、カラー２１Ｄを破壊しなくともソリッドリベット８を分解することが可能である。
【０１７５】
カラー２１Ｄの外径ｄ７’は頭部１１ｃの外径ｄ８よりも小さいので、チャック爪１３４の先端１３５をカラー２１Ｄの周面に係合させれば、チャック爪１３４を頭部１１ｃの下部に係合させることができる。この場合、把持ユニット１２９のソリッドリベット８に対する軸方向の把持力は、カラー２１Ｄを破壊して除去した後に把持する場合に較べて若干劣る。このような場合には、分解装置１００Ｅを上から押さえておけば良い。これによって、分解装置１００Ｅが胴部１１ｂと頭部１１ｃとの境界領域Ａを切断するときの衝撃によって、ソリッドリベット８から外れるのを防止できる。この方法によれば、カラー２１Ｄを破壊する必要がないので、ソリッドリベット８の分解作業を迅速に行うことができる。
【０１７６】
このカラー２１Ｄは、例えば図４０（ｂ）に示すように、カラー２１Ｄの周部にＶ字溝２１Ｆが形成されているものを用いても良い。ここでは、Ｖ字溝２１Ｆの個数は４個である。把持ユニット１２９によってこのカラー２１Ｄを圧縮すると、Ｖ字溝２１Ｆに応力が集中するので、カラー２１ＤがこのＶ字溝２１Ｆの近傍から破壊される。カラー２１ＤにこのＶ字溝２１Ｆを形成する代わりにＵ字溝を形成しても良い。また、これらの溝をカラー２１Ｄの内周部に形成しても良い。
【０１７７】
更に、図４０（ｃ）に示すように、カラー２１Ｄに均等間隔を開けて厚さ方向に貫通する貫通孔２１Ｇを形成しても良い。ここでは、貫通孔２１Ｇの個数は４個である。貫通孔２１Ｇを設けた箇所は、他の箇所よりも半径方向内方への圧縮力に対して強度が弱くなっているので、この図４０（ｃ）に示すカラー２１Ｄを用いても、その破壊が容易である。なお、ここでは、カラー２１Ｄに貫通孔２１Ｇを設ける構成としたが、カラー２１Ｄの上面又は底面に有底孔又は有底溝を設ける構成としても良い。
【０１７８】
なお、図４４ａ（ａ）〜図４４（ｃ）は、上端面に固着層２１Ｈを形成したカラー２１Ｄを示している。この固着層２１Ｈは、例えば、両面テープ又は接着剤からなる。この固着層２１Ｈを有するカラー２１Ｄを用いれば、予め、図４４（ｃ）に示すようにカラー２１Ｄをソリッドリベット８の頭部１１ｃの底面に固着させておくことができる。この図４４（ｃ）に示すカラー付きのソリッドリベット８を使用すれば、母材１、２にソリッドリベット８をカシメ付けるたびに、カラー２１Ｄを胴部１１ｂに挿入する必要がなく、従って、カシメ作業時間の短縮とカラー２１Ｄの挿入忘れとを防止できる。
[母材１、２から切断された締結部材の胴部１１ｂを除去可能な分解装置の例１]図４５は母材１、２から切断された締結部材の胴部１１ｂを除去可能な分解装置１００Ｆを示す。この分解装置１００Ｆは境界領域Ａに沿って胴部１１ｂと頭部１１ｃとを切断する切断刃１０２を有する。この分解装置１００Ｆは胴部１１ｂと頭部１１ｃとの切断後、母材１、２に留まっている胴部１１ｂを刃先１０３によって押圧して、胴部１１ｂを母材１、２から押し出すに足りる移動ストロークを有する。この切断刃１０２は、図４６に示すように、胴部１１ｂの外径ｄ４以上の内径ｄ５を有し、かつ、母材１、２の締結穴１ａ、２ａの穴径ｄ１、ｄ２以下の外径ｄ３を有する円筒形状である。
【０１７９】
この分解装置１００Ｆは図１５に示す分解装置１００Ｂの改良品であり、切断刃１０２の刃先部１０４のテーパ面１０４ａが内周面側に形成されている点を除いて、その構造が分解装置１００Ｂの構造と実質的に同一である。
【０１８０】
その切断刃１０２に切断力を付与して、境界領域Ａの切断を行うと、図４７（ａ）に示すように、切断刃１０２によって頭部１１ｃと胴部１１ｂとの境界領域Ａが切断されて分離される。更に、切断刃１０２を下降させると、図４７（ｂ）に示すように、ブラインドリベット１０の背面側の頭部１１ｄに切断刃１０２の刃先１０３が当接する。この図４７（ｂ）に示す状態から、更に切断刃１０２を下降させると、切断刃１０２によって、ブラインドリベット１０の胴部１１ｂが母材１、２の締結穴１ａ、２ａから押し出される。これによって、母材１、２からブラインドリベット１０が図４７（ｃ）に示すように完全に除去される。このものによれば、切断刃１０２の外径ｄ３が締結穴１ａ、２ａの内径ｄ１、ｄ２よりも小さいので、切断された胴部１１ｂを押し出す際に、切断刃１０２によって母材１、２が傷つくことが防止される。
【０１８１】
図４５に示す分解装置１００Ｆでは、刃先１０３を背面側の頭部１１ｄに当接させて、切断された胴部１１ｂを母材１、２の締結穴１ａ、２ａから除去する構成としたが、図４８に示すように、切断刃１０２の内径ｄ５を胴部１１ｂの外径ｄ４とほぼ同じかこれよりも若干小さく形成しかつ外径ｄ３を締結穴の穴径ｄ１、ｄ２以下に形成して、図４９（ａ）〜図４９（ｃ）に示すように、刃先１０３により胴部１１ｂの切断分離箇所１０３’を押しつつ切断刃１０２を下降させることによって、切断された胴部１１ｂを締結穴１ａ、２ａから除去するようにしても良い。このようにすれば、図４５に示す分解装置１００Ｆの移動ストロークに較べてその移動ストロークを小さくできる。また、切断刃１０２の刃先１０３を確実に胴部１１ｂに当接させることができる。
【０１８２】
その切断刃１０２は、図５０に拡大して示すように、境界領域Ａに沿った円筒状の刃先部１０４を有し、この刃先部１０４は先端に向かうに伴って暫時径が小さくなるテーパ面１０４ａとなっている。このテーパ面１０４ａは切断刃１０２の外周面に形成されている。これによって、頭部１１ｃの切断面が断面逆円錐台形状に切断されるので、頭部１１ｃが刃先部１０４に食い込むのを防止できる。従って、切断刃１０２を用いて胴部１１ｂを押し出す際に食い込みによる摩擦力を低減でき、母材１、２の締結穴１ａ、２ａから胴部１１ｂをスムーズに除去できる。
【０１８３】
これによれば、頭部が分離された胴部を切断手段によって締結穴１ａから押し出すための押し出し力が切断力付与手段２００によって与えられる。
[母材１、２から切断された締結部材の胴部１１ｂを除去可能な分解装置の例２]図５１は母材１、２から切断された締結部材の胴部１１ｂを除去可能な分解装置１００Ｇを示す。この分解装置１００Ｇは分解装置１００Ｆの改良品である。この分解装置１００Ｇは胴部押し出し部材６１Ａを切断刃１０２と一体に有する。この胴部押し出し部材６１Ａは、切断刃１０２の軸部に形成された中空部１０２ａ内でブラインドリベット１０の軸穴１１ａの軸方向に沿って進退可能である。この押し出し部材６１Ａには軸穴１１ａに嵌合する嵌合部６１Ｂが設けられている。
【０１８４】
胴部押し出し部材６１Ａと切断刃１０２の上部との間には、胴部押し出し部材６１Ａに押し出し力を付与するコイルバネ６２Ａが設けられている。胴部押し出し部材６１Ａは、このコイルバネ６２Ａの付勢力によって、刃先１０３から通常突出されている。このコイルバネ６２Ａには圧縮によって押し出し力が蓄積される。その圧縮力はコイルスプリング２０３の切断力を解放することによって与えられる。
【０１８５】
この分解装置１００Ｇによれば、まず、嵌合部６１Ｂを軸穴１１ａに嵌合させて、切断刃１０２のブラインドリベット１０に対する位置決めを行う。これによって、境界領域Ａの切断時に、境界領域Ａに対する切断刃１０２の切断位置のズレを防止できる。また、胴部押し出し部材６１Ａはコイルバネ６２Ａによって軸穴１１ａの嵌合方向へ付勢されているので、軸穴１１ａと嵌合部６１Ｂとの嵌合も容易である。
【０１８６】
次に、切断刃１０２の刃先１０３が境界領域Ａに臨むようにして切断刃支持体２０１を母材１に押し付ける。これによって切断刃１０２がコイルスプリング２０３の伸張力に抗してコイルスプリング２０３を収縮させながら切断刃支持体２０１内に押し込まれる。コイルスプリング２０３にはこれによって切断力が蓄積される。これらの作用は、図１５に示す分解装置１００Ｂと同じであるのでその詳細な説明は省略する。
【０１８７】
次に、解除ボタン２０５を操作して係止を解除すると、コイルスプリング２０３の伸張力によって切断力が解放され、切断刃１０２が一気に下降される。これによって、刃先部１０４が図５２（ａ）に示すように境界領域Ａに食い込んで胴部１１ｂと頭部１１ｃとが分離される。この分解装置１００Ｇの切断時の移動ストロークは、頭部１１ｃと母材１との分離破断箇所１０３’に達し、母材１の締結穴１ａの縁部近傍に位置した状態で停止する程度のストローク量である。このストローク量を規定するために、切断刃支持体２０１の内周部には段部２０８が形成され、切断刃１０２にはこの段部２０８に係合する段部１０５が形成されている。
【０１８８】
この刃先部１０４の食い込みによって、境界領域Ａが切断されると、コイルバネ６２Ａがコイルスプリング２０３の伸張力によって圧縮される。このコイルバネ６２Ａの圧縮力によって、コイルバネ６２Ａに押し出し力が蓄積される。このように、この分解装置１００Ｇによれば、コイルスプリング２０３によって付与された切断力によって、切断刃１０２の刃先１０３が頭部１１ｃと母材１との分離破断箇所１０３’に向けて移動することによって、胴部押し出し部材６１Ａに押し出し力が蓄積されるので、胴部押し出し部材６１Ａそれ自体に押し出し力を蓄積するための専用の手段を設ける必要がなく、分解装置１００Ｇを小型化できる。
【０１８９】
従って、図５２（ｂ）に示すように、コイルバネ６２Ａに蓄積された押し出し力によって、胴部１１ｂが締結穴１ａ、２ａから押し出される。
【０１９０】
図５３は母材１、２から切断された締結部材の脚部１１ｂを除去可能な分解装置１００Ｇ’を示している。この分解装置１００Ｇ’は図２４に示す分解装置１００Ｄの改良品であり、図２４に示す分解装置１００Ｄに胴部押し出し部材６１Ａを設けたものであり、その他の構成は分解装置１００Ｄと同一であるので、同一構成要素に同一符号を付してその詳細な説明は省略する。
[締結部材の頭部をあらかじめ放射状に切断した後に締結部材の境界領域を切断する方法]
図５４（ａ）〜図５４（ｃ）はブラインドリベット１０の頭部１１ｃを予め略放射状に切断する放射状切断刃６００を示している。この放射状切断刃６００は、ブラインドリベット１０の頭部１１ｃを切断する際に、ブラインドリベット１０の軸穴１１ａに嵌合されて放射状切断刃６００の切断位置を位置決めする切断刃位置決め部材としてのセンタリング軸４００Ａを有する。このセンタリング軸４００Ａに放射状刃６０２が配設されている。この放射状刃６０２は、センタリング軸４００Ａと一体に形成しても良く、センタリング軸４００に対して着脱自在に一体化しても良い。この放射状刃６０２は、１個でも良いが、図５４（ａ）〜図５４（ｃ）に示すように複数個であることが望ましい。
【０１９１】
この放射状刃６０２は、図５４（ａ）、図５４（ｂ）に示すように、略均一な厚さを有する板状体からなるものであっても良いし、図５４（ｃ）に示すようにセンタリング軸４００Ａに向かって徐々に厚くなるくさび形状体であっても良い。
【０１９２】
この放射状刃６０２を複数個設ける場合、各放射状刃６０２の刃先６０３によってブラインドリベット１０の頭部１１ｃが略均等に分割して切断されるように、各放射状刃６０２の刃先６０３を略等間隔に配置することが好ましい。これによって、頭部１１ｃの切断時に、各放射状刃６０２に加わる負荷が略均等化される。
【０１９３】
次に、この放射状切断刃６００を用いて、ブラインドリベット１０の頭部１１ｃを放射状に切断する場合について説明する。
【０１９４】
まず、図５５に実線で示すように、センタリング軸４００Ａの下端の嵌合部４００ａをブラインドリベット１０の軸穴１１ａに嵌合させる。これにより、放射状切断刃６００の各放射伏刃６０２の刃先６０３が、ブラインドリベット１０の頭部１１ｃに対して、それぞれ適切な切断位置にセンタリングされる。
【０１９５】
次いで、センタリング軸４００Ａの嵌合部４００ａが、ブラインドリベット１０の軸穴１１ａに嵌合された状態で、放射状切断刃６００に切断方向（矢印ａ４方向）への切断力を付与する。これにより、図５５に鎖線で示すように、放射状切断刃６００の各放射状刃６０２の刃先６０３が、ブラインドリベット１０の頭部１１ｃに食い込み、頭部１１ｃが複数に放射状に分割された状態に切断される。
【０１９６】
例えば、図５４（ａ）に示した４個の放射状刃６０２を備えた放射状切断刃６００を用いて、ブラインドリベット１０の頭部１１ｃを切断した場合には、図５６に示すように、ブラインドリベット１０の頭部１１ｃが４分割された状態に切断される。
【０１９７】
次に、これまでに説明した分解装置のいずれかを用いてブラインドリベット１０の胴部１１ｂと頭部１１ｃとの境界領域Ａに沿って切断する。この頭部１１ｃの放射状の切断と境界領域Ａの円筒状の切断とによって、胴部１１ｂから頭部１１ｃが複数に分割された状態で分離されて、母材１、２に締結されたブラインドリベット１０が母材１、２から取り外される。
【０１９８】
この分解方法によれば、放射状切断刃６００により頭部１１ｃが予め放射状に複数に分割されるので、境界領域Ａを切断するときに、切断刃１０２に加わる負荷が軽減され、切断刃１０２に付与する切断力が小さくて済み、分解装置の小型化が可能になる。また、頭部１１ｃが胴部１１ｂから複数に分割して分離されるので、切断後に頭部１１ｃが切断刃１０２に絡み付くことがなく、分解装置と頭部１１ｃとの分離性が向上される。
【０１９９】
ここで、放射状切断刃６００の各放射状刃６０２の刃先６０３は、図５５に角度θ４で示すように、センタリング軸４００Ａの嵌合部４００ａの軸中心に向かうに伴って頭部１１ｃの方向に突出するように傾斜していることが望ましい。
【０２００】
これによって、放射状切断刃６００により頭部１１ｃが切断される際に、放射状刃６０２の刃先６０３が頭部１１ｃの軸中心から半径方向外方に向かって徐々に食い込むことになる。
【０２０１】
従って、この放射状切断刃６００によれば、頭部１１ｃを切断する時に、この放射状切断刃６００に加わる負荷を軽減でき、放射状切断刃６００に付与する切断力が小さくて済むので、放射状切断刃６００による頭部１１ｃの切断作業が容易化される。
[締結部材の端部を放射状に切断すると同時に境界領域を切断する分解装置の例]図５７は締結部材の頭部を放射状に切断すると同時に境界領域を切断する分解装置１００Ｈを示す。この分解装置１００Ｈは分解装置１００Ｇの改良品であり、放射状刃６０２を切断刃１０２の外周部に一体に形成したものである。また、切断刃１０２の中空部１０２ａ内に切断刃位置決め部材６１Ａ’が設けられ、この切断刃位置決め部材６１Ａ’はコイルバネ６２Ａ’によって突出方向に付勢されている。この切断刃位置決め部材６１Ａ’の先端部６１Ｂ’は軸穴１１ａに嵌合される。
【０２０２】
この切断刃１０２と放射状切断刃６００とが一体構成の分解装置１００Ｈによれば、切断刃１０２によるブラインドリベット１０の胴部１１ｂと頭部１１ｃとの境界領域Ａの円筒状切断と、放射状切断刃６００によるブラインドリベット１０の頭部１１ｃの放射状切断とを一度の切断動作で略同時に行うことができるので、分解装置の操作が容易となり、ブラインドリベット１０の分解作業に要する時間を短縮できる。
【０２０３】
この分解装置１００Ｈのその他の構成は、分解装置１００Ｇの構成と実質的に同一であり、境界領域Ａの円筒状切断と頭部１１ｃの放射状切断とを除いて、その作用効果も実質的に同一であるので、同一構成要素に同一符号を付してその詳細な説明は省略する。
【０２０４】
その放射状切断刃６００は切断刃１０２に対して切断方向に移動調整可能とするのが望ましく、図５８に示す分解装置１００Ｈ’では、放射状切断刃６００を切断刃１０２に螺合させることによって、放射状切断刃６００が切断刃１０２に対して切断方向に移動調整可能となっている。
【０２０５】
この分解装置１００Ｈ’によれば、例えば、切断刃１０２または放射状切断刃６００の刃先１０３、６０３の研磨等によって、刃先１０３、６０３の切断方向の相対的位置関係が変化した場合でも、切断刃１０２に対して、放射状切断刃６００を切断方向に沿って移動調整することによって、刃先１０３、６０３の切断方向の相対的位置関係を適正に調整できる。
【０２０６】
また、これによって、切断刃１０２と放射状切断刃６００とを交換することなく、締結部材の境界領域Ａ及び頭部１１ｃの寸法に見合うように、刃先１０３、６０３の切断方向の相対的位置関係を変更できる。
【０２０７】
[連続的な穴を頭部に予め開けた後、胴部と頭部との間の境界領域Ａを切断する方法]
図５９は、連続的な穴を頭部に予め開けた後、境界領域Ａを切断する方法に用いる分解装置１００Ｉの概略構成を示す図である。この分解装置１００Ｉは、把手２２０、円筒状構造体２２１、操作ボタン２２２、２２３等から構成されている。この分解装置１００Ｉは、圧縮空気発生機２２５とエアーホース２２４とで連結され、圧縮空気によって作動する。
【０２０８】
図６０は分解装置１００Ｉの円筒状構造体２２１の詳細構成を示す断面図である。円筒状構造体２２１は、ピストン２２６、２３０、スプリング２２７、２３１、パッキン２２８、接合部２２９、押さえ棒２３２、ピストン２３０に固定されている突出ピン２３３、針状部材２３４、アタッチメント２４０等から構成される。
【０２０９】
この円筒状構造体２２１にはエアーバルブ２２４ｖの切替動作によって、圧縮空気がエアホース２２４ａ、２２４ｂを通って、ピストン室２５１、２５２に供給される。エアーバルブ２２４ｖは分解装置１００Ｉの内部に配設され、操作ボタン２２２、２２３に連動して動作が切り替えられる。
【０２１０】
針状部材２３４はピストン２３０の先端に形成されている。針状部材２３４は摩耗時の交換を考慮してピストン２３０と一体ではなく、交換可能に取り付けられるのが望ましい。円筒状構造体２２１の内周面には後述する直線状溝部と螺旋状溝部が形成されている。突出ピン２３３がこの直線状溝部に沿って動くことにより、ピストン２３０は等角度で間欠的に回転される。この回転については後に詳述する。
【０２１１】
図６１（ａ）はピストン２２６と押さえ棒２３２との接合部２２９の組立前の詳細図を示している。ピストン２２６の先端には球部２３５が形成されている。押さえ棒２３２の上端は半球状の穴部２４１が形成され、ピストン２２６の球部２３５が入リ込む。球部２３５が穴部２４１に入っている状態で、二つのジョイント部材２３６を、球部２３５の上部を挟み込むようにしてセットする。その後に、結合板２３７とネジ２３８とによって、ジョイント部材２３６と押さえ棒２３２とを結合する。これにより、ピストン２２６と押さえ棒２３２とが回動自在に連結される。図６１（ｂ）はその組立後の接合部２２９を示している。
【０２１２】
図６２（ａ）は、図６０の矢印Ｇ方向から見たピストン２３０及び針状部材２３４を示している。図６２（ａ）に示すように、針状部材２３４は、例えば直径４．８ｍｍの円周線上に６０度間隔で６本設けられている。ここで、針状部材２３４は、レイアウト上の制約がなければできるだけ多数配列することが望ましい。なお、締結穴１ａの穴径ｄ１は４．９ｍｍで、円周線の直径は穴径ｄ１よりも小さく、これにより母材１の損傷が防止されている。
【０２１３】
次に、分解装置１００Ｉによって、締結部材の頭部１１ｃに複数の穴を形成する動作を説明する。
【０２１４】
まず、操作ボタン２２２を押すと、エアーバルブ２２４ｖの切替動作によって圧縮空気がエアホース２２４ｂを通って、ピストン室２５２に入る。ピストン室２５２はパツキン２２８で密閉されているので、ピストン２３０は圧縮空気の力によって図６０の矢印Ｆ方向に可動される。ピストン２３０は、アタッチメント２４０の内面に設けられたストッパー２５１’、２５１’に突き当たって停止する。
【０２１５】
次に、操作ボタン２２２の操作を解除すると、エアーバルブ２２４ｖの切替動作によって、ピストン室２５２の圧縮空気はエアホース２２４ｂを通って排気ポート２２４ｃから抜ける。従って、ピストン２３０はスプリング２３１の力により、ストツパー２５２’、２５２’に当たるまで戻る。
【０２１６】
次に、ピストン２３０の等角度間欠回転動作を説明する。
【０２１７】
図６３は円筒状構造体２２１の内面展開図である。円筒状構造体２２１の内面には、ピストン２３０の外周面に配設されている円柱状の突出ピン２３３の外径よりも若千広い幅の溝部が形成されている。
【０２１８】
すなわち、円筒状構造体２２１の内面には、７２度間隔に５箇所の直線状溝部２５３ａ〜２５３ｅが形成されている。その円筒状構造体２２１にはこれらの直線状溝部２５３ａ〜２５３ｅを連通する螺旋状溝部２５４ａ〜２５４ｅが形成されている。直線状溝部２５３ａ〜２５３ｅと螺旋状溝部２５４ａ〜２５４ｅの分岐点２４２ａ〜２４２ｅには、それぞれ板バネ２３９ａ〜２３９ｅが配設されている。突出ピン２３３はピストン２３０に固定されているので、突出ピン２３３が直線状溝部２５３ａ〜２５３ｅと螺旋状溝部２５４ａ〜２５４ｅに沿って移動すると、ピストン２３０が等角度で間欠的に回転される。
【０２１９】
なお、針状部材２３４の配列間隔が均一の場合、ピストン２３０の回転角度は、針状部材２３４の配列角度の整数倍でさえなければ、任意の角度を選択して良い。ピストン２３０の回転角度が針状部材２３４の角度の整数倍であると、針状部材２３４の本数に対応した個数の穴しか開けることができず、多数の穴を開けることができないからである。
【０２２０】
次に、直線状溝部２５３ａから２５３ｂに沿って突出ピン２３３及びピストン２３０が移動する動作を例に挙げて説明する。
【０２２１】
まず、操作ボタン２２２を押すと、ピストン室２５２に空気圧が加わり、ピストン２３０が直線状溝部２５３ａに沿って真っ直ぐに可動される。このとき、板バネ２３９ａの先端部は、突出ピン２３３が通過する方向に対して下側に向いているので、突出ピン２３３の通過を許容する方向に弾性変形する。
【０２２２】
これによって、突出ピン２３３は分岐点２４２ａをそのまま通過する。そして、ピストン２３０はアタッチメント部材２４０内面のストッパー２５１’、２５１’に突き当たって停止する。このように操作ボタン２２２を押したときには、ピストン２３０は回転しないで真っ直ぐに可動される。
【０２２３】
次に、操作ボタン２２２の操作を解除すると、ピストン２３０はスプリング２３１の力によって押し戻される。このとき、突出ピン２３３は、板バネ２３９ａによって通過を阻止され、図６３の矢印Ｘ方向に移動して、螺旋状溝部２５４ａに入る。突出ピン２３３はピストン２３０に固定されているので、ピストン２３０がこの螺旋状溝部２５４ａに沿って回転される。更に、ピストン２３０が押し戻されると、突出ピン２３３は直線状溝部２５３ｂに入る。これらの一連の動作によって、ピストン２３０は直線状溝部２５３ａと２５３ｂとに対応する角度だけ回転する。この操作ボタン２２２の操作を繰り返す度に、ピストン２３０は押し出されて戻るときに７２度回転し、ピストン２３０と一体の針状部材２３４が７２度毎に回転する。
【０２２４】
次に、母材１、２から締結部材の胴部１１ｂと頭部１１ｃとを取り外すための、押さえ棒２３２の動作を説明する。
【０２２５】
操作ボタン２２３を押すと、エアーバルブ２２４ｖの切替動作によって圧縮空気はエアホース２２４ａを通ってピストン室２５１に入る。これにより、ピストン２２６は図６０の矢印Ｆ方向に押し出される。ピストン２２６は、円筒状構造体２２１内面のストッパー２５３’、２５３’に突き当たって停止される。なお、ピストン２２６は、接合部２２９を介してピストン２３０の中心部を貫通している押さえ棒２３２と連結されている。従って、操作ボタン２２３を押すと、押さえ棒２３２もピストン２２６に連動して矢印Ｆ方向に動く。
【０２２６】
そして、操作ボタン２２３の操作を解除すると、ピストン室２５１の圧縮空気はエアホース２２４ａから排気ポート２２４ｃへ抜けるので、スプリング２２７の力により、ピストン２２６は、円筒状構造体２２１内面のストッパー２５４’、２５４’の位置まで戻る。ピストン２２６に連動して押さえ棒２３２も元の位置に戻る。
【０２２７】
なお、押さえ棒２３２とピストン２３０とは、特にピストン室２５２側において密閉性が要求される為、○リング等のパッキン２２８が配設されている。この分解装置１００Ｉの構造上、パッキン２２８はスラスト方向の移動に対しては密閉性が良くなければならないが、押さえ棒２３２は接合部２２９によってピストン２３０とともに回動自在であり、パッキン２２８には回転方向の力が加わらないのでパッキン２２８の信頼性向上につながる。
【０２２８】
次に、分解装置１００Ｉを用いてブラインドリベット１０の分解を説明する。
【０２２９】
図６４は分解装置１００Ｉの針状部材２３４によって、頭部１１ｃと胴部１１ｂとの境界領域Ａに沿って複数個の穴を形成した状態を示している。アタッチメント部材２４０の開口部内径は例えば９．７ｍｍで、頭部１１ｃの外径９．６ｍｍよりもごく僅かに大きい。
【０２３０】
図６４に示すように、頭部１１ｃがアタッチメント部材２４０の中に入り込むように、上部から押さえて分解装置１００Ｉをセットする。その後、操作ボタン２２２を押すと、針状部材２３４によって頭部１１ｃに均等間隔で６箇所の穴２４３Ａが形成される。ここで、針状部材２３４は頭部１１ｃを貫通するが、針状部材２３４はストッパー２５１’でストロークを規制されているため、母材１、２を損傷することが防止される。
【０２３１】
第１回目の穴開け工程で複数個の穴を形成した後、操作ボタン２２２の操作を解除する。すると、針状部材２３４が７２度回転しながら戻る。その後、更に、操作ボタン２２２を押すと、針状部材２３４は第１回目の複数個の穴が形成された箇所から７２度ずれた箇所に穴を形成する。このようにして、操作ボタン２２２の操作を５回繰り返すことによって、頭部１１ｃに３０個の連続した円周状の穴列２４３が形成される。
【０２３２】
図６５（ａ）は、分解装置Ｉによる操作ボタン２２２の１回の操作で、頭部１１ｃに６個の穴２４３Ａを形成した状態を示しれ、図６５（ｂ）はその繰り返し操作により、頭部１１ｃに連続的な穴列２４３を形成した状態を示している。
【０２３３】
次に、母材１、２から胴部１１ｂと頭部１１ｃとを除去する動作を説明する。図６６は分解装置１００Ｉの押さえ棒２３２によって、胴部１１ｂを取り外している状態を示している。頭部１１ｃに穴列２４３を形成後、操作ボタン２２３を押すと、押さえ棒２３２が押し出され、胴部１１ｂが加圧される。すると、押さえ棒２３２の加圧力によって、穴列２４３が破断され、頭部１１ｃと胴部１１ｂとが分離され、取り外される。このとき、予め複数個の穴列２４３からなる円周線上を破断することになるので、小さな加圧力で、胴部１１ｂと頭部１１ｃとを母材１、２から取り外すことができる。
【０２３４】
この分解装置１００Ｉの場合、押さえ棒２３２の代わりに図６２（ｂ）に示す円筒状の切断刃１０２を用いることもできる。この切断刃１０２の外周部にはその周回り方向に針状部材２３４の逃げ溝２３４Ａが形成されている。この逃げ溝２３４Ａは針状部材２３４の延びる方向に延びている。このものによれば、穴列２４３を形成した後、この切断刃１０２によって境界領域Ａを切断できる。
【０２３５】
また、押し出し棒２３２によって頭部１１ｃと胴部１１ｂとを分離することにしたが、例えば、分解装置１００Ａ１〜１００Ａ４の切断刃１０２の刃先１０３を穴列の円周線上に当てて、分解装置１００Ａ１〜１００Ａ４を用いて分解することもできる。この場合には、分解装置１００Ａ１〜１００Ａ４に加える切断力を小さくできる。また円筒状構造体２２１の構造を、ピストン２２６、押さえ棒２３２を必要としない分だけ簡略化することができる。
[切断刃１０２に加わる衝撃の緩和を図ることのできる分解装置の例１]
図６７は切断刃１０２に加わる衝撃の緩和を図ることのできる分解装置１００Ｊの概略構成を示している。この分解装置１００Ｊは分解装置１００Ａ１の改良品である。この分解装置１００Ｊは、切断刃１０２と、切断力付与部材２０２と、タッピング部材１５０と、保持力付与部材１５１とから構成されている。
【０２３６】
切断刃１０２は、ブラインドリベット１０の胴部１１ｂと頭部１１ｃとの胴部軸方向に沿って、進退して胴部１１ｂと頭部１１ｃとを切断する。切断力付与部材２０２はブラインドリベット１０の胴部１１ｂと頭部１１ｃとを切断する切断力を切断刃１０２に付与する。タッピング部材１５０はブラインドリベット１０の軸穴１１ａをネジ切りして軸穴１１ａに螺合するタップ部１５０ａを備えている。保持力付与部材１５１は切断力付与部材２０２により切断力が付与された際に、タップ部１５０ａが軸穴１１ａに螺合状態のタッピング部材１５０に、切断力に抗してブラインドリベット１０を固定する保持力を付与する。
【０２３７】
この分解装置１００Ｊの切断刃１０２は、その軸中心がタッピング部材１５０の軸中心に一致するように、分解装置本体１０１に螺合されており、タッピング部材１５０に対して摺動自在に構成されている。
【０２３８】
分解装置本体１０１とタッピング部材１５０との間には、スプリング１５２が配設されている。スプリング１５２の弾力によって、タッピング部材１５０のタップ部１５０ａが、切断刃１０２の刃先１０３から突出されている。このタップ部１５０ａの刃先１０３からの突出量は、タッピング部材１５０の中間部位に一体形成された鍔部１５０ｂに、切断刃１０２に設けられた内方フランジ１０２ｂが当接することによって規制されている。
【０２３９】
切断力付与部材２０２は、エアー又は油圧を駆動源として動作し、これによって、切断刃１０２に所定の切断力を付与する。なお、この分解装置１００Ｊの切断力付与部材２０２は、分解装置本体１０１と保持力付与部材１５１との間で動作し、これによって、スプリング１５２の弾力に抗して、切断刃１０２とタッピング部材１５０とが相対移動する。
【０２４０】
この分解装置１００Ｊを用いて、ブラインドリベット１０を分解するには、まず、図６８（ａ）に示すように、タッピング部材１５０を所定方向に回転させ、そのタップ部１５０ａによって軸穴１１ａにネジを切りながら、軸穴１１ａにタッブ部１５０ａを螺合させる。次いで、軸穴１１ａにタップ部１５０ａが螺合されている状態で、切断力付与部材２０２を動作させて、切断刃１０２に切断力を付与する。
【０２４１】
これにより、スプリング１５２の弾力に抗して、切断刃１０２とタッピング部材１５０とが相対移動する。このとき、タッピング部材１５０は、ブラインドリベット１０に対して螺合されているので、切断力付与部材２０２により付与された切断力に抗して、保持力付与部材１５１によって、ブラインドリベット１０を保持する保持力がタッピング部材１５０に付与される。
【０２４２】
この結果、図６８（ｂ）に示すように、胴部１１ｂと頭部１１ｃとの胴部軸方向の境界領域Ａに沿って、切断刃１０２が頭部１１ｃに食い込む。これにより、タッピング部材１５０にブラインドリベット１０が保持された状態で、切断刃１０２によって胴部１１ｂと頭部１１ｃとが切断され、母材１、２とブラインドリベット１０とが分離可能な状態になる。
【０２４３】
このように、この分解装置１００Ｊによれば、ブラインドリベット１０を切断刃１０２に向けて引っ張り付けた状態で、その切断刃１０２の刃先１０３が、ブラインドリベット１０の胴部軸方向に沿って直線的に移動されることによって、胴部１１ｂと頭部１１ｃとが切断されるので、母材１、２に加わる衝撃を緩和できる。また、この分解時にブラインドリベット１０が空回りしたり、この空回りなどにより母材１、２が損傷したりすることが防止される。よって、頭部１１ｃと胴部１１ｂとを一度の操作で容易に切断することができる。
【０２４４】
また、ブラインドリベット１０の切断時に、その頭部１１ｃ又は胴部１１ｂをプライヤーやペンチ等の把持工具で掴んで固定しておく必要もないので、把持工具で掴みにくい場合でも、ブラインドリベット１０を比較的容易に切断することができる。
【０２４５】
特に、この分解装置１００Ｊによれば、タップ部１５０ａによってブラインドリベット１０が固定された状態で、切断刃１０２により胴部１１ｂと頭部１１ｃとが切断されるので、頭部１１ｃに切断刃１０２が食い込む際の切断力によって、母材１、２が変形することがない。すなわち、切断の際の衝撃によって、母材１、２が凹むのを防止できる。
【０２４６】
また、タッピング部材１５０によってブラインドリベット１０が固定されることにより、切断時に切断刃１０２に大きな切断力を加えることができ、ブラインドリベット１０を確実に切断できる。
【０２４７】
更に、この分解装置１００Ｊでは、切断刃１０２が分解装置本体１０１に螺合されている。これによって、タッピング部材１５０の鍔部１５０ｂの上面と分解装置本体１０１の下面との離間距離ｈを変化させることができ、タッピング部材１５０と切断刃１０２との相対位置関係を調整できる。従って、頭部１１ｃに対する刃先１０３の食い込み量を調整できる。
【０２４８】
ここで、頭部１１ｃに対する刃先１０３の食い込み量は、少なくとも、図６８（ｂ）に示すように、頭部１１ｃと母材１との分離破断箇所に、切断刃１０２の刃先１０３が到達した状態で、該切断刃１０２の移動が規制されるように調整されることが好ましい。このように、頭部１１ｃに対する刃先１０３の食い込み量を調整することによって、ブラインドリベット１０の切断時の切断刃１０２の切断ストロークを一定にできるので、胴部１１ｂと頭部１１ｃとを確実に分離できる。また、オーバーストロークによる母材１の損傷を確実に回避できる。
【０２４９】
ここで、切断刃１０２の刃先１０３が、ブラインドリベット１０の頭部１１ｃと母材１との分離破断箇所に到達した状態とは、頭部１１ｃと胴部１１ｂとが完全に分離された状態、又は僅かな肉部を残して繋がった状態の何れの状態でもよい。
【０２５０】
また、この分解装置１００Ｊは、その切断刃１０２の軸中心とタッピング部材１５０の軸中心とが一致するように構成されているので、ブラインドリベツト１０の切断時の切断刃１０２と頭部１１ｃとの位置関係が常時一定に保たれる。これにより、切断刃１０２の軸中心が頭部１１ｃの軸中心からずれたり、切断刃１０２の食い込み方向が母材１、２の締結穴１ａ、２ａの軸方向に対して傾いたりすることがなく、頭部１１ｃに対して該切断刃１０２の刃先１０３を正確に位置決めできる。
【０２５１】
従って、この分解装置１００Ｊは、頭部１１ｃに切断刃１０２が食い込む際に、刃先１０３と頭部１１ｃとの位置がずれて、頭部１１ｃが正確に切断されなかったり、刃先１０３が母材側に食い込んで母材１が損傷したりする不具合が解消される。
【０２５２】
また、この分解装置１００Ｊは、切断時にブラインドリベット１０を保持するためのタッピング部材１１０が、ブラインドリベット１０に対する切断刃１０２の切断刃位置決め手段としても機能するので、位置決め部材を独立した部品として設ける必要がなく、分解装置を簡素に構成することができる。
[切断刃１０２に加わる衝撃の緩和を図ることのできる分解装置の例２]
図６９は切断刃１０２に加わる衝撃の緩和を図ることのできる分解装置１００Ｋの構成を示しており、この分解装置１００Ｋは分解装置１００Ｊの改良品である。この図６９において、分解装置１００Ｊの各構成要素と同一構成要素については、同一符号を付してその詳細な説明は省略する。
【０２５３】
この分解装置１００Ｋは、切断力付与部材２０２は、タッピング部材１５０に回動可能に軸支された回動レバー１６０の支軸１６１を支点とし、回動レバー１６０の自由端部１６２を力点として、回動レバー１６０を回動させることによって、切断刃１０２に切断力を付与する。すなわち、この切断力付与部材２０２はてこの原理を利用して切断力を付与する。この切断力付与部材２０２は保持力付与部材としても機能する。
【０２５４】
この分解装置１００Ｋによれば、分解装置１００Ｊと同様に、タッピング部材１５０のタップ部１５０ａによって軸穴１１ａにネジが切られる。これによって、図６９（ａ）に示すように、軸穴１１ａにタップ部１５０ａが螺合される。
【０２５５】
次に、この状態で、回動レバ一１６０をその支軸１６１を支点としてかつ回動レバー１６０の自由端部１６２を力点として、切断刃１０２に切断力を付与する方向に回動させる。
【０２５６】
これによって、図６９（ｂ）に示すように、回動レバー１６０の作用点としての切断力付与部材２０２が、分解装置本体１０１の上面に当接して、梃子の原理により、自由端部１６２（力点）に加えられた圧力を増大して、切断刃１０２に切断力を付与する。
【０２５７】
これによって、胴部１１ｂと頭部１１ｃとの胴部軸方向の境界領域Ａに沿って、切断刃１０２が頭部１１ｃに食い込む。このとき、切断刃１０２の頭部１１ｃへの食い込みによって、回動レバー１６０の切断力付与部材２０２に加わる切断力の反力が、回動レバー１６０の支軸１６１に作用する。そして、この回動レバー１６０の支軸１６１に作用する反力によって、切断刃１０２に付与された切断力に抗してブラインドリベット１０を保持する保持力が、タッピング部材１５０に付与される。従って、ブラインドリベット１０がタッピング部材１５０に保持された状態で、胴部１１ｂと頭部１１ｃとが切断される。
【０２５８】
このように、この分解装置１００Ｋによれば、回動レバー１６０を回動させるだけの操作で、切断刃１０２に大きな切断力を付与し、且つ、タッピング部材１５０に対して確実に保持力を付与することができるので、例えば、エアーや油圧などの大掛かりな駆動源が不要となり、構成が簡素で取り扱いの容易な分解装置を提供することができる。
[切断刃１０２に加わる衝撃の緩和を図ることのできる分解装置の例３]
図７０は切断刃１０２に加わる衝撃の緩和を図ることのできる分解装置１００Ｌを示している。この分解装置１００Ｌは分解装置１００Ｊの改良品である。この図７０において、分解装置１００Ｊと同一構成要素については同一符号を付して、その詳細な説明は省略する。
【０２５９】
この分解装置１００Ｌは、切断力付与部材及び保持力付与部材が、タッピング部材１５０のネジ切り動作に連動して、胴部軸方向に切断刃１０２を押圧する切断刃押圧手段としての鍔部１５０ｂから構成されている。
【０２６０】
すなわち、この分解装置１００Ｌによれば、まず、分解装置１００Ｊと同様に、その図７０（ａ）に示すように、タップ部１５０ａによって、軸穴１１ａをネジ切りしながらタップ部１５０ａを軸穴１ａに螺合させる。
【０２６１】
このとき、タップ部１５０ａによる軸穴１１ａのネジ切り動作に連動して、図７０（ｂ）に示すように、タッピング部材１５０の鍔部１５０ｂによって、切断刃１０２の内方フランジ１０２ｂの上面が押圧される。これにより、刃先１０３が胴部１１ｂと頭部１１ｃとの胴部軸方向に沿って食い込んで、胴部と頭部１１ｃとが切断される。
【０２６２】
このように、この分解装置１００Ｌによれば、そのタップ部１５０ａのネジ切り動作に連動して、切断刃１０２に切断力が付与される。これによって、タッピング部材１５０による軸穴１１ａのネジ切り動作と、切断刃１０２による胴部１１ｂと頭部１１ｃとの切断動作とを同時に行うことができる。従って、ブラインドリベット１０の胴部１１ｂと頭部１１ｃとの切断作業に要する時間や手間を省くことができる。
[切断刃１０２に加わる衝撃の緩和を図ることのできる分解装置の例４]
図７１は切断刃１０２に加わる衝撃の緩和を図ることのできる分解装置１００Ｍを示している。
【０２６３】
この分解装置１００Ｍは、既存のリベット締結装置１３をその構造を変えずに、そのまま使用することができる。
【０２６４】
すなわち、リベット締結装置１３は、例えば、図７１に示すように、取手部３３１が設けられたピストル型である。この取手部３３１には、エアーバルブ３３２、エアーシリンダ３３３、トリガー３３４、調整つまみ３３５等が設けられている。エアーシリンダ３３３にはノーズケーシング３３７が取り付けられている。このノーズケーシング３３７内には図７２に示すように、ジョーハウジング３３８が進退可能に格納されている。ジョーハウジング３３８には、ブラインドリベット１０のマンドレル１２を引っ張るためのジョー１３ｂ、ジョースプレター１３ｃ、バッファー部材１３ｄ、ロッキングリング１３ｅ、スプリング１３ｆ等が配設されている。このノーズケーシング３３７の工具端部３３７ａにはノーズピース１３ａ（図９５（ｃ）参照）が設けられている。
【０２６５】
このブラインドリベット締結装置１３を分解装置１００Ｍとして用いる場合には、ブラインドリベット締結装置１３の工具端部３３７ａに取り付けられているノーズピース１３ａを取り外す。このノーズピース１３ａの替わりに、図７２、図７３に示すように、胴部１１ｂと頭部１１ｃとの胴部軸方向に沿って胴部１１ｂから頭部１１ｃを切断する切断刃１０２を、工具端部３３７ａに取り付ける。
【０２６６】
この分解装置１００Ｍを用いて、図７２に示すように母材１、２に締結されたブラインドリベット１０を分解するには、まず、図７３（ａ）に示すように、軸穴１１ａに挿通可能な軸径を有するノックピン３００Ａを、頭部１１ｃ側から軸穴１１ａに挿通し、ノックピン３００Ａの頭部を叩いて、軸穴１１ａ内に残留しているマンドレル１２を、図７３（ｂ）に示すように、胴部１１ｂから抜き取る。ここで、ノックピン３００Ａの代用品として後述する引っ張りピンを用いてもよい。
【０２６７】
その後、マンドレル１２が抜き取られた軸穴１１ａに、図７３（ｃ）に示すように、塑性変形部（カシメ部）１１ｄ側から引っ張りピン４２０を挿通する。この引っ張りピン１２０の先端部を頭部１１ｃから突出させる。この引っ張りピン４２０は、ブラインドリベット１０の胴部１１ｂの貫通穴１１ａの穴径ｄ９（図７３（ｂ）参照）よりも小さい外径ｄ１０の軸部４２０ａと、軸部４２０ａに一体形成されたフランジ状のリベット当接部４２０ｂとを有している。なお、リベット当接部４２０ｂはここでは円盤状に形成されている。このリベット当接部４２０ｂの形状はこれに限らない。
【０２６８】
次いで、図７４（ａ）に示すように、切断刃１０２を頭部１１ｃに圧接させる。そして、頭部１１ｃから突出した引っ張りピン４２０の軸部４２０ａの先端部をジョー１３ｂによって把持する。このとき、引っ張りピン４２０のリベット当接部４２０ｂが、胴部１１ｂのカシメ部１１ｄに当接するように、リベット締結装置１３のジョー１３ｂによって引っ張りピン４２０の軸部４２０ａを把持する。
【０２６９】
この図７４（ａ）に示す状態で、リベット締結装置１３のトリガー３３４を引く。リベット締結装置１３をトリガーすると、図７１に示すリベット締結装置１３のエアーバルブ３３２が開き、エアーホース３３６を通してエアーポンプ（図示を略す）からエアーシリンダ３３３に圧搾空気が供給される。この圧搾空気の圧力は調整つまみ３３５によって予め調整できる。
【０２７０】
エアーシリンダ３３３にエアーが供給されると、図７４（ａ）に示すように、ジョースプレダー１３ｃがスプリング１３ｆの伸張力に抗して、エアーシリンダ３３３側に引き込まれて、ジョー１３ｂに把持された引っ張りピン４２０の先端部が上方に引っ張られる。
【０２７１】
これにより、胴部１１ｂに当接された引っ張りピン４２０のリベット当接部４２０ｂと、頭部１１ｃに圧接した切断刃１１０とによりブラインドリベット１０が挟み込まれて、図７４（ｂ）に示すように、胴部１１ｂと頭部１１ｃとの胴部軸方向の境界領域Ａに沿って、頭部１１ｃに切断刃１０２の刃先１０３が食い込む。この結果、母材１、２に締結されたブラインドリベット１０の胴部１１ｂから頭部１１ｃが切断されて、母材１、２とブラインドリベット１０とが分離可能な状態になる。
【０２７２】
更に、この分解装置１００Ｍによれば、図７４（ａ）、（ｂ）に示すように、引っ張りピン４２０のリベット当接部４２０ｂと、リベット締結装置１３の工具端部３３７ａに設けた切断刃１０２の刃先１０３とによって、母材１、２に締結されたブラインドリベット１０が挟み込まれた状態で、頭部１１ｃが胴部１１ｂから切断されるので、頭部１１ｃに刃先１０３が食い込む際の切断力によって母材１、２が変形することがない。
【０２７３】
また、この分解装置１００Ｍによれば、母材１、２に締結されたブラインドリベット１０の胴部１１ｂの軸穴１１ａに挿通された引っ張りピン４２０を、ジョー１３ｂによって引っ張るので、引っ張りピン４２０と切断刃１０２との位置関係が常に一定に保たれ、頭部１１ｃに対して刃先１０３が正確に位置決めされる。従って、この分解装置１００Ｍによれば、頭部１１ｃに刃先１０３が食い込む際に、刃先１０３と頭部１１ｃとの間の位置ずれの発生を防止できるので、頭部１１ｃを正確な位置で切断でき、刃先１０３が母材１側に食い込んで母材１を損傷することがない。
【０２７４】
また、ブラインドリベット１０の分解時に、引っ張りピン４２０と切断刃１０２とによって、胴部１１ｂは挟持されるので、切断刃１０２に大きな切断力を加えることができ、胴部１１ｂと頭部１１ｃとを確実に切断できる。
【０２７５】
更に、この分解装置１００Ｍは、既存のリベット締結装置１３の工具端部３３７ａに取り付けられているノーズチップ１３ａを取り外し、これに代えて切断刃１０２を取り付けるだけで、リベット締結装置１３を分解装置１００Ｍとして用いることができるので、極めて安価に構成することができる。また、リベット締結装置１３を用いてブラインドリベット１０を母材１、２に締結している際に、ブラインドリベット１０を母材１、２から切断する必要が生じた場合に、ブラインドリベット１０の切断作業や再締結作業を極めて迅速に行うことができる。また、この分解装置１００Ｍによれば、その切断刃１０２を容易に着脱できるので、分解対象としてのリベットの大きさに適した寸法の切断刃１０２を容易に交換できる。
[切断刃１０２に加わる衝撃の緩和を図ることのできる分解装置の例５]
図７５は切断刃１０２に加わる衝撃の緩和を図ることのできる分解装置１００Ｎを示している。この図７５において、分解装置１００Ｍの各構成要素と同一構成要素については同一符号を付して、その説明は省略する。
【０２７６】
この分解装置１００Ｎは、ブラインドリベット締結装置１３の工具端部３３７ａに取り付けられているノーズピース１３ａを取り外さずに使用することができる。すなわち、引っ張りピン４２０のリベット当接部４２０ｂには、胴部１１ｂの塑性変形部１１ｄを胴部軸方向に沿って切断する切断刃１０２’が形成されている。
【０２７７】
この分解装置１００Ｎを用いての母材１、２に締結されたブラインドリベット１０の分解を以下に説明する。マンドレル１２は軸穴１１ａから既に抜き取られ、引っ張りピン４２０が図７５（ａ）に示すように軸穴１１ａに挿通されているものとする。
【０２７８】
このものでは、リベット締結装置１３の工具端部３３７ａに設けたノーズピース１３ａを、図７５（ａ）に示すように、母材１、２に締結されたブラインドリベット１０の頭部１１ｃに圧接させる。そして、引っ張りピン４２０のリベット当接部４２０ｂが胴部１１ｂのカシメ部１１ｄに当接するように、引っ張りピン４２０の軸部４２０ａの先端部をジョー１３ｂで把持する。
【０２７９】
その後、この図７５（ａ）に示す状態で、トリガー３３４を引く。これによって、リベット当接部４２０ｂに形成されている切断刃１０２と、頭部１１ｃに圧接されたノーズピース１３ａとによって、ブラインドリベット１０が挟み込まれて、図７５（ｂ）に示すように、胴部１１ｂのカシメ部１１ｄに、胴部軸方向の境界領域Ａに沿って切断刃１０２’が食い込む。この結果、母材１、２に締結されたブラインドリベット１０の胴部１１ｂのカシメ部１１ｄが切断されて、母材１、２とブラインドリベット１０とが分離可能な状態になる。なお、特許請求の範囲の中の「頭部」という用語には、このカシメ部１１ｄが含まれている。
【０２８０】
このように、この分解装置１００Ｎによれば、引っ張りピン４２０の軸部４２０ａを既存のリベット締結装置１３のジョー１３ｂで引っ張るだけの構成であるので、工具端部３３７ａに設けられているノーズピース１３ａを着脱する必要がなく、より簡素で安価な分解装置を提供できる。
[切断刃１０２に加わる衝撃の緩和を図ることのできる分解装置の例６]
図７６は切断刃１０２に加わる衝撃の緩和を図ることのできる分解装置１００Ｏを示している。この図７６において、分解装置１００Ｍ、１００Ｎの各構成要素と同一構成要素については同一符号を付してその説明は省略する。
【０２８１】
この分解装置１００Ｏは、工具端部３３７ａに取り付けられているノーズピース１３ａを取り外して、その工具端部３３７ａに分解装置１００Ｍに用いる切断刃１０２を取り付ける。また、引っ張りピン４２０には分解装置１００Ｎに用いたものを用いる。これによって、分解装置１００Ｏが構成される。
【０２８２】
この分解装置１００Ｏを用いての分解を以下に説明する。
【０２８３】
すなわち、工具端部３３７ａに設けられている切断刃１０２を、図７６（ａ）に示すように、頭部１１ｃに圧接させ、かつ、リベット当接部１２０ｂがカシメ部１１ｄに当接するように、引っ張りピン４２０の軸部４２０ａの先端部を、ジョー１３ｂで把持する。
【０２８４】
次いで、図７６（ａ）に示す状態で、トリガー３３４を引く。これにより、ブラインドリベット１０の胴部１１ｂに係止された引っ張りピン４２０のリベット当接部４２０ｂの切断刃１０２’と、工具端部３３７ａに設けられた切断刃１０２とによりブラインドリベット１０が挟み込まれて、図７６（ｂ）に示すように、胴部１１ｂと頭部１１ｃとの胴部軸方向の境界領域Ａに沿って、工具端部３３７ａに設けられた切断刃１０２が頭部１１ｃに食い込み、かつ、リベット当接部４２０ｂに設けられた切断刃１０２’が胴部１１ｂのカシメ部１１ｄに食い込む。この結果、工具端部３３７ａに設けられた切断刃１０２により胴部１１ｂから頭部１１ｃが切断され、かつ、リベット当接部４２０ｂに設けられた切断刃１０２によりカシメ部１１ｄが切断されて、母材１、２とブラインドリベット１０とがより確実に分離できる状態になる。
[複数回の切断動作によって境界領域を切断する方法]
図７７は複数回の切断動作によって締結部材の境界領域を切断する分解装置の主要部としての円筒状構造体２２１の断面図を示している。この分解装置の外観は図５９に示す分解装置１００Ｉと同一であり、その円筒状構造体２２１の構成もピストン２３０に図７８に示す円筒状の切断刃１０２が設けられている点を除いて同一であるので、同一構成要素に同一符号を付して、その詳細な説明は省略することとし、異なる点についてのみ説明する。
【０２８５】
切断刃１０２にはその周回り方向に４個の切り欠き溝１０２Ｘが形成され、刃先部１０４はこれによって、その周回り方向に等間隔（４５度）に分割されて、円弧状刃先（円弧状櫛刃）１０３とされている。なお、図７８（ａ）では切断刃１０２の外周面側にテーパ面１０４ａが形成され、図７８（ｂ）では切断刃１０２の内周面側にテーパ面１０４ａが形成されている。
【０２８６】
図７９（ａ）は、図７７の矢印Ｇ方向から見たピストン２３０及び切断刃１０２を示している。図７９（ａ）に示すように、円弧状刃先１０３は、例えば直径４．８ｍｍの円周線上に４５度間隔で４本設けられることになる。なお、締結穴１ａの穴径ｄ１は４．９ｍｍで、円周線の直径は穴径ｄ１よりも小さく、これにより母材１の損傷が防止されている。
【０２８７】
図８０は円筒状構造体２２１の内面展開図であり、この円筒状構造体２２１の内面に形成されている直線状溝部、螺旋状溝部の個数は８個であり、その作用は図６３に示すものと同一であるので、直線状溝部に符号２５３ａ〜２５３ｈを付し、螺旋状溝部符号２５４ａ〜２５４ｈ、板バネに符号２３９ａ〜２３９ｈを付し、分岐点に符号２４２ａ〜２４２ｈを付して、詳細な説明は省略する。
【０２８８】
図８１は、この分解装置の切断刃１０２によって、ブラインドリベット１０の頭部１１ｃと胴部１１ｂとの胴部軸方向の境界領域Ａに沿って、ブラインドリベット１０の境界領域Ａを切断している状態を示す断面図である。分解装置のアタッチメント２４０の開口部内径は、例えば９．７ｍｍで、ブラインドリベット１０の頭部１１ｃの外径９．６ｍｍよりもごく僅かに大きくなっている。
【０２８９】
まず、図８１に示すように、頭部１１ｃがアタッチメント２４０の中に入り込むように、上部から押さえて分解装置をセットする。その後、操作ボタン２２２を押圧すると、圧縮空気によってピストン２３０が押し出され、ピストン２３０の先端に取付けられている円弧状刃先１０３が頭部１１ｃを均等間隔で部分的に切断する。ここで、ピストン２３０はストッパー２４０’、２４０’でストロークを規制されている為、母材１、２を損傷することはない。第一回の切断工程終了後、操作ボタン２２２の操作を解除する。すると、円弧状刃先１０３が４５度回転しながら戻る。さらに、操作ボタン２２２を押すと、円弧状刃先１０３は、第一回目の切断箇所から４５度ずれた箇所を切断する。
【０２９０】
以上のように、操作ボタン２２２の操作を少なくとも二回繰り返すことによって、頭部１１ｃに円弧状刃先１０３に対応した円周状切断箇所１０３ｙ’が形成される。これによって、頭部１１ｃと胴部１１ｂは切断される．
図８２（ａ）は、分解装置１９による操作ボタン２２２の１回の操作で、頭部１１ｃの円周線上に４ケ所の切断箇所１０３ｙを形成したことを示す。この切断箇所１０３ｙの間が未切断箇所１０３ｚとなっている。また、図８２（ｂ）は、操作ボタン２２２を少なくとも二回操作することにより、頭部１１ｃに連続する円周状切断箇所１０３ｙ’が形成されたことを示す。
【０２９１】
頭部１１ｃに円周状切断箇所１０３ｙ’が形成されることによって、頭部１１ｃと胴部１１ｂは切断される。しかし、胴部１１ｂは母材１、２の貫通孔１ａ、２ａに圧接される形で留まっているので、強制的に取り外す必要がある。図８３はこの分解装置の押し出し手段としての押さえ棒２３２によって、胴部１１ｂを取り外していることを示す。
【０２９２】
頭部１１ｃに円周状切断箇所１０３ｙ’が形成された後に、操作ボタン２２３を押圧すると、押さえ棒２３２が押し出され、胴部１１ｂヘ力を加える。すると、押し出し力付勢手段としてのピストン２２６が駆動され、押さえ棒２３２の加圧力により、頭部１１ｃを残したまま、胴部１１ｂとマンドレル１２ａは取り外される。以上のような構成及び動作によって、ブラインドリベット１０は分解し、母材１、２の締結は解除される。
【０２９３】
これによれば、刃先１０３の頭部１１ｃへの当接位置を変えて切断されていない未切断箇所１０３ｚを切断するという作業が必要であるが、境界領域Ａを切断する際の切断力を小さくでき、切断力に加わる負荷を軽減できるという利点がある。
【０２９４】
また、従来の分解方法では、分解が困難であった為に、被締結部材の再利用や締結部材のリサイクルが難しかったが、この分解装置を使用することによって、容易に締結部材と被締結部材とを分解することができるので、被締結部材の再利用と締結部材のリサイクルが可能となり、環境保護、省資源に役立つことができる。
【０２９５】
なお、この分解装置の切断刃１０２及びアタッチメント部材２４０は交換可能になっている。したがって、切断刃１０２の形状や、アタッチメント部材２４０の先端開口部の内径、ストッパー部の位置等を変更することができる。これによって、大きさの異なるリベットにも使用することが可能である。また、他の締結部材、例えばピンかしめ、バーリングカシメ等にも使用可能である。
〔変形例１〕
切断刃１０２として円弧角度が４５度のものを用いたが、異なる円弧角度の切断刃を用いることもできる。図７９（ｂ）は、切断刃１０２の円弧角度が６０度である円弧状刃先１０３を用いた例を示す。この円弧状刃先１０３は等間隔で４個配設されている。回転手段による一回当たりの回転角度は４５度（所定角度）であるので、円弧状刃先１０３の円弧角度の方が大きくなっている。すなわち、円弧状刃先１０３の円周方向の長さは切り欠き溝１０２ｘの円周方向の長さよりも長くなっている。
【０２９６】
従って、第２回目の切断工程のときに、第一回目の切断工程による切断箇所の両端部をそれぞれ７．５度ずつオーバーラップして加工することが可能となる。このように、切断刃１０２の円弧角度を回転角度よりも大きくすることにより、第一回目の切断工程による切断箇所１０３ｙの両端部をオーバーラッブして加工することができる。これによって、切断箇所１０３ｙの端部における切断不良の発生を防止し、より確実な切断加工を行うことができる。この場合、回転手段による回転角度は、例えば、３６０度を円弧状刃先の個数の二倍で割った角度に設定すれば良い。
【０２９７】
このように、切断刃１０２の回転角度は、切断刃１０２の円弧角度と円弧状刃先１０３の個数とによって適宜に選択することができる。
〔変形例２〕
また、円筒状構造体２２１の内周面に溝部を形成する構成について説明したが、ピストン２３０の外周面に同様な溝部を形成して、この溝部の分岐点に板バネを配設し、突出ピン２３３を円筒状構造体２２１の内周面に固定する構造としても、ピストン２３０を間欠的に回転させることができる。これによって、円筒状構造体２２１の内周面に溝部を加工する必要がなく、ピストン２３０の外周面に溝加工すれば良いので、機械加工のコストを低減させることができる。
[分解装置のアタッチメント構造]
図８４にアタッチメント部材としての分解装置１００Ｐを示す。
【０２９８】
この分解装置１００Ｐは、胴部軸方向に沿って胴部１１ｂと頭部１１ｃとの境界領域Ａを切断する切断刃１０２と、境界領域Ａを切断する切断力を切断刃１０２に付与する切断力付与手段２００とを有する。
【０２９９】
切断力付与手段２００は、本体カバーとしての切断刃支持体２０１と、切断刃１０２に付与する切断力を蓄積しかつ蓄積された切断力を解放することによって締結部材に向けて切断刃に切断力を与える切断力付勢手段２０３と、切断力付勢手段２０３に切断刃１０２に付与する切断力を蓄積させる切断力蓄積手段と、この切断力蓄積手段によって切断力付勢手段２０３に蓄積される切断力が、胴部１１ｂと頭部１１ｃとを切断できる状態に達した時に、切断力付勢手段２０３に蓄積された切断力を解放する切断力解放手段とを有する。なお、この切断刃１０２の外周面にはテーパ面１０４ａが形成され、刃先１０３の大きさは胴部１１ｂの外径よりも若干小さい。
【０３００】
切断力付勢手段２０３はコイルスプリングから構成され、圧縮によって切断刃１０２に付与する切断力が蓄積される。切断力蓄積手段は、切断力付勢手段２０３を圧縮する圧縮部材６２１としての引っ張り軸と、切断力付勢手段２０３を圧縮する方向に圧縮部材６２１を移動させる圧縮部材移動手段とを有する。この圧縮部材移動手段にはブラインドリベット締結装置１３が用いられる。
【０３０１】
切断力解放手段は、圧縮部材６２１に形成された破断部６２１ｃからなり、破断部６２１ｃは圧縮部材移動手段によって圧縮部材６２１が移動されて切断力付勢手段２０３に切断力が蓄積される過程で、切断力付勢手段２０３に蓄積された切断力によって破断される。
【０３０２】
言い換えると、この分解装置１００Ｐはブラインドリベット締結装置１３に締結されるアタッチメント部材を有する。
【０３０３】
このアタッチメント部材は、胴部軸方向に沿って一方が解放された中空形状の本体カバー２０１と、外径が締結穴の穴径以下でかつ内径が胴部の外径以下で胴部軸方向に沿って一方に解放されしかも他方に貫通孔を有する分解装置本体が設けられた中空形状の刃先部１０２と、貫通穴の穴径以下の大きさでかつブラインドリベット締結装置１３に掴まれる軸部と分解装置本体１０１の裏面と係合する係合部とが設けられた引っ張り軸６２１と、本体カバー２０１と分解装置本体１０１との間に設けられた弾性部材２０３とを有する。
【０３０４】
この分解装置１００Ｐを用いて母材１、２に締結されたブラインドリベット１０を分解する方法を以下に説明する。
【０３０５】
まず、圧縮部材６２１の軸部６２１ａを、切断刃１０２の端壁１０２ｄに形成された貫通穴１０２ｅと、切断刃支持体２０１の端壁２０１ｃに形成された貫通穴２０１ｄとに挿通する。
【０３０６】
そして、貫通穴１０２ｅ、２０１ｄに挿通されて切断刃支持体２０１の端壁２０１ｃから突出した圧縮部材６２１の軸部６２１ａの上端部を、図８４に示すように、ブラインドリベット締結装置１３のノーズピース１３ａ内に挿通する。このとき、ブラインドリベット締結装置１３のノーズピース１３ａの先端が、切断刃支持体２０１の端壁２０１ｃの上面に密着するように、圧縮部材６２１の軸部６２１ａをブラインドリベット締結装置１３にセットする。
【０３０７】
次いで、図８５（ａ）に示すように、分解装置１００Ｐの切断刃１０２の刃先１０３を、ブラインドリベット１０の胴部１１ｂと頭部１１ｃとの境界領域Ａに臨ませる。そして、この状態で、ブラインドリベット締結装置１３のトリガーを引く。これにより、圧縮部材６２１の軸部６２１ａがジョー１３ｂによって掴まれて引き上げられる。そして、圧縮部材６２１の係合部６２１ｂが切断刃１０２の端壁１０２ｄの下面に係合する。この状態から、軸部４２１ａが更に引き上げられ、図８５（ｂ）に示すように、コイルスプリング２０３が圧縮されて、コイルスプリング２０３に切断力が蓄積される。と同時に、切断刃１０２が引き上げられる。
【０３０８】
そして、このコイルスプリング２０３に蓄積された切断力が、ブラインドリベット１０の胴部１１ｂと頭部１１ｃとを切断できる状態に達したときに、破断部６２１ｃが、図８５（ｃ）に示すように、コイルスプリング２０３に蓄積された切断力に負けて破断される。これによって、コイルスプリング２０３に蓄積された切断力が解放される。
【０３０９】
このコイルスプリング２０３に蓄積された切断力が解放されると、コイルスプリング２０３によってブラインドリベット１０に向けての切断力が切断刃１０２に付勢される。これにより、切断刃１０２が胴部１１ｂと頭部１１ｃとの胴部軸方向に沿って食い込み、図８５（ｄ）に示すように、胴部１１ｂと頭部１１ｃとが切断刃１０２によって切断される。
【０３１０】
この分解装置１００Ｐによれば、既存のブラインドリベット締結装置１３を用いて、コイルスプリング２０３を圧縮して、コイルスプリング２０３に切断刃１０２に付勢する切断力を蓄積できるので、その構成が簡素である。
【０３１１】
また、この分解装置１００Ｐによれば、図８５（ｂ）に示すように、ブラインドリベット締結装置１３のノーズピース１３ａの先端が、切断刃支持体２０１の端壁２０１ｃの上面に密着した状態で、ブラインドリベット締結装置１３のジョー１３ｂにより圧縮部材６２１の軸部６２１ａが掴まれてかつ引き上げられることによって、その切断刃支持体２０１がブラインドリベット締結装置１３に定置される。
【０３１２】
ここで、圧縮部材６２１には、その軸部６２１ａに、図８６に示すように、その破断部６２１ｃを所定の問隔を開けて複数個（ここでは、４個）形成するのが望ましい。この場合には、リベット締結装置１３のジョー１３ｂに近い側から頭部１１ｃに向かってその破断限界力が大きくなっている。
【０３１３】
この圧縮部材６２１を用いる場合には、図８６に示すように、ブラインドリベット締結装置１３のノーズピース１３ａと切断刃支持体２０１の端壁２０１ｃの上面との間に、圧縮部材６２１の破断部６２１ｃの間隔に略等しい高さのノーズカラー６２２を所定個数配設する。これによって、ジョー１３ｂが圧縮部材６２１の軸部６２１ａの掴む箇所を選択できる。
【０３１４】
この圧縮部材６２１を用いた場合には、圧縮部材６２１の軸部６２１ａをリベット締結装置のジョー１３ｂに装着して、引き上げることによって、圧縮部材６２１の軸部６２１ａに形成された複数個の破断部６２１ｃを、このリベット締結装置１３のジョー１３ｂに近い側から順に破断させることができる。従って、この圧縮部材６２１は、その破断部６２１ｃの個数分だけ、圧縮部材６２１を繰り返し使用でき、圧縮部材６２１を節約できる。
【０３１５】
また、この圧縮部材６２１によれば、その軸部６２１ａに形成された強度の異なる複数個の破断部６２１ｃを、ジョー１３ｂにより選択的に把持して破断させることによって、コイルスプリング２０３に蓄積される切断力の大きさを変化させることができる。これにより、胴部１１ｂと頭部１１ｃとの強度に応じて切断力の大きさを選択できる。
【０３１６】
更に、圧縮部材６２１の破断部６２１ｃを、切断刃１０２に係合して切断刃１０２を引き上げる係合部６２１ｂと圧縮部材６２１の軸部６２１ａとの間に形成し、破断部６２１ｃを破断させることによって、圧縮部材６２１を切断刃１０２から分離させるようにしてもよい。
【０３１７】
また、この圧縮部材６２１の先端を軸穴１１ａの穴径以下の大きさとして、切断刃１０２から突出させ、この圧縮部材６２１の突出部に、図８４、図８６に示すように、ブラインドリベット１０の境界領域を切断する際に、軸穴１１ａに嵌合して切断刃１０２の切断位置を決めする位置決め部６２１ｄを一体形成してもよい。
【０３１８】
なお、分解装置１００Ｐの切断刃１０２の切断時の移動ストロークは、図１０に示すように、切断刃１０２に付与された切断力によって、切断刃１０２の刃先１０３が、少なくとも、頭部１１ｃと母材１との切断分離箇所近傍に到達し、かつ、切断刃１０２の刃先部１０４の外周面が、母材１の締結穴１ａの縁部近傍に位置した状態で、切断刃１０２の移動が停止されるように設定されていることが望ましい。
【０３１９】
そこで、この分解装置１００Ｐには、図８５（ｄ）に示すように、切断刃１０２の外周面に規制部としての段部１０５を設け、切断刃支持体２０１の内周部の段部２０８に係合させることによって、図８に示すように所定の位置で、切断刃１０２の移動を停止させる構成とされている。これによって、切断刃支持体１０２が切断刃支持体２０１から脱落するのが防止される。
【０３２０】
また、この分解装置１００Ｐの切断刃支持体２０１の端壁２０１ｃは、図８４に示すように、軸部６２１ａがブラインドリベット締結装置１３のジョー１３ｂにより引き上げられる際に、コイルスプリング２０３に蓄積された切断力に抗して、ブラインドリベット締結装置１３のノーズピース１３ａを支承する支承部としての機能を果たす。
【０３２１】
このように、軸部６２１ａをジョー１３ｂにより引き上げる際に、この支承部によってノーズピース１３ａを支承することにより、コイルスプリング２０３を確実に圧縮でき、コイルスプリング２０３に切断力を無駄なく蓄積できる。この切断刃支持体２０１の端壁２０１ｃには、例えば、図８７に示すように、ノーズピース１３ａに嵌合する嵌合穴２０１ｅが形成されていることが好ましい。
【０３２２】
このように、ノーズピース１３ａを嵌合穴２０１ｅに嵌合させて支承することにより、圧縮部材６２１の軸部６２１ａをブラインドリベット締結装置１３のジョー１３ｂにより引き上げる際に、ブラインドリベット締結装置１３のノーズピース１３ａが端壁２０１ｃから脱落することがなくなり、分解装置１００Ｐの操作性が向上する。
【０３２３】
切断刃支持体２０１の端壁２０１ｃにパイプ部２０１ｆを設けても良い。このパイプ部２０１ｆは、例えば、図８８に示すように、ジョー１３ｂが収納されている円筒状ケースの外周面にネジ螺合される。
【０３２４】
このように、ブラインドリベット締結装置１３の円筒状ケースの外周面に、パイプ部２０１ｆを螺合させることによって、ブラインドリベット締結装置１３の円筒状ケースとパイプ部２０１ｆとの位置関係を調整できる。これにより、図８６に示すノーズカラー６２２を用いることなく、圧縮部材６２１の軸部６２１ａを掴む位置を選択できる。
【０３２５】
図８９はアタッチメント構造の分解装置１００ｑを示す。
【０３２６】
この分解装置１００ｑは、その切断刃１０２によりブラインドリベット１０の境界領域を切断する際に、母材１、２に対して当接する当接部材５０を有する。この分解装置１００ｑによれば、ブラインドリベット１０の切断時に、切断刃支持体２０１に設けられた当接部材５０が母材１に当接する。
【０３２７】
これによって、切断刃支持体２０１と母材１との位置関係、すなわち、母材１と切断刃１０２との位置関係が常時一定に保たれる。
【０３２８】
これにより、切断時の作業者によるブラインドリベット締結装置１３の保持の仕方によって、切断刃１０２に付与された切断力の反力により切断刃支持体２０１の位置がずれて、切断刃１０２の移動ストロークが変化したり、また、切断刃１０２の中心が頭部１１ｃの中心からずれたり、切断刃１０２の移動方向が母材１、２の締結穴１ａ、２ａの軸方向に対して傾いたりすることがなくなる。
【０３２９】
従って、この分解装置１００ｑによれば、母材１、２に締結されたブラインドリベット１０を母材１、２を損傷することなく円滑且つ確実に母材１、２から取り外すことができる。
【０３３０】
この分解装置１００ｑは、その母材１に対して当接する当接部材５０の当接部５１が、母材１を吸着する磁力を有していることが望ましい。この分解装置１００ｑによれば、ブラインドリベット１０の切断時に、その当接部材５０の当接部５１を、母材１に磁力により吸着させることができる。これにより、当接部材５０の当接部５１と母材１との密着性が高まるので、切断時における切断刃１０２と母材１、２との位置精度が向上される。また、切断時に作業者が分解装置１００ｑを保持せずに、母材１に対して当接部材５０の当接部５１を密着させることができるので、切断時における作業者の負担が軽減される。
【０３３１】
当接部材５０の当接部５１に磁力を持たせるには、当接部材５０をマグネット（永久磁石）で構成するか、あるいは、当接部材５０に磁性体材料を混入して、その当接部５１を磁化すればよい。
【０３３２】
ここで、当接部材５０の当接部５１の磁力は、ブラインドリベット１０の切断時に、コイルスプリング２０３により切断刃１０２に付与された切断力の反力に抗して、切断刃支持体２０１に設けた当接部材５０の当接部５１を母材１に当接させる力以上の大きさを有していることが望ましい。また、当接部材５０は、切断刃支持体２０１に対して着脱交換可能に構成されていることが好ましい。
【０３３３】
すなわち、当接部材５０を切断刃支持体２０１に対して着脱交換可能に構成することにより、当接部材５０のみを交換することで、例えば、分解対象となる締結部材の寸法に応じて、締結部材の寸法に見合うように切断刃１０２の移動ストロークを変更することができるので、締結部材の寸法毎に該切断刃１０２の移動ストロークの異なる専用の分解装置を多数用意しておく必要がなくなる。
【０３３４】
更に、当接部材５０は、切断刃支持体２０１に対して、切断刃１０２の切断方向に沿って進退自在に構成されていることが好ましい。すなわち、当接部材５０を切断刃支持体２０１に対して、切断刃１０２の切断方向に沿って進退自在に構成することにより、例えば、切断刃１０２の刃先１０３の研磨等によって刃先部１０４の切断方向の寸法が変化した場合でも、切断刃支持体２０１に対して当接部材５０の当接部５１を、切断刃１０２の切断方向に沿って進退させることによって、切断刃１０２の刃先１０３が常に一定した位置に臨むように刃先１０３の位置を調整できる。
【０３３５】
また、当接部材５０の当接部５１を切断刃１０２の切断方向に沿って進退させることによって、当接部材５０を交換せずに、分解対象となる締結部材の寸法に応じて締結部材の寸法に見合うように切断刃１０２の移動ストロークを変更できる。
【０３３６】
ここで、当接部材５０の当接部５１を切断刃１０２の切断方向に沿って進退させる構造には、例えば、図８９に示すように、切断刃支持体２０１に当接部材５０をネジ５２で螺合させればよい。
[作業ミスをしたリベットを分解するための生産ライン]
頭部と胴部とからなりかつ胴部が母材に形成されている締結穴に挿通されしかも前記頭部が前記締結穴の周縁部に接触されて該母材と締結状態となっている締結部材を除去することによって母材を回収する生産システムを以下に説明する。
【０３３７】
以下に、母材に対する締結部材の締結状況を検査し、検査に基づいて締結部材と母材との締結状況が不良のときに、頭部と胴部との境界領域から切断して胴部と頭部とを互いに分離し、母材から締結部材を除去して母材を回収する工程を図９０を参照しつつ説明する。
Ｓ．１（リベット締結工程）
市販品のブラインドリベット締結装置１３を用いて少なくとも２つの母材（ワーク）をブラインドリベットによって締結する。
Ｓ．２（締結具合い検査工程）
Ｓ．１のリベット締結工程において、例えば、締結したブラインドリベット１０とワーク（母材１、２）との間に隙間が発生しているかどうか（ワークががたついているかどうか）、リベット１０がワークの締結穴表面に対して斜めになっているかどうか等を検査する。この締結具合い検査工程は、リベット締結工程（Ｓ．１）と同時に実施しても良い。
Ｓ．３（リベット分解工程）
締結具合い検査工程（Ｓ．２）でリベット締結不備が発見されたときには、リベット分解装置（例えば、既存のリベット締結装置１３を用いる分解装置１００Ｐ）を用いて、リベット１０をワークから除去する。このリベット分解工程（Ｓ．３）は締結具合い検査工程（Ｓ．２）と同時に実施しても良い。リベット締結具合検査工程（Ｓ．２）をリベット締結工程（Ｓ．１）と同時に実施する場合には、このリベット分解工程（Ｓ．３）をリベット締結工程（Ｓ．１）と同時に実施しても良い。
Ｓ．４（ワーク検査工程）
リベット分解工程（Ｓ．３）において分解されたワークを再利用できる場合には、再びリベット締結工程（Ｓ．１）に移行して、２つのワークをリベットによって締結する。
【０３３８】
リベット分解工程（Ｓ．３）において分解されたワークを再利用できない場合には、ワークを廃棄処分とする。
【０３３９】
すなわち、リベット分解工程（Ｓ．３）の分解作業によって、締結穴１ａ、２ａが曲がったり、傷ついていたり、変形していたりする場合、ワークそのものが変形していたりした場合には、そのワークを廃棄処分とする。
Ｓ．５（ユニット組み付け工程）
締結具合い検査工程（Ｓ．２）において、締結良好と判定されたワークは、生産ラインのユニット組み付け工程に送られる。その工程数は例えばｎ（ｎは整数）である。
Ｓ．６（ユニット検査工程）
そのユニットはユニット検査工程に送られる。その工程数は例えばｍ（ｍは整数）である。このユニット検査工程においては、組み付けの良好性、性能検査等が行われる。全てのユニット検査工程において、検査を満足したときには、そのユニットが出荷される。
【０３４０】
この生産ラインは、作業者が各自各工程を手作業によって実施しても良いし、自動化ラインのロボットによって、自動的に実施しても良い。
【０３４１】
なお、製品回収後のリサイクルのためのリベット分解作業の生産ラインは、以下に説明するようにすれば良い。
【０３４２】
ユーザーから製品を回収した場合、リベット締結状態のワーク（母材１、２）を分解装置によって分解する。分解したワークが再利用可能な状態のとき、そのワークを再利用する。その分解したワークが再利用不可能な状態のとき、そのワークを廃棄処分とする。金属製のワークと樹脂製のワークとが混在している場合には、これらのワークの分別作業を行ってから再利用することにすれば作業性が向上する。
[生産ラインに使用する自動リベット分解装置１００ｒ]
この生産ラインに使用する自動リベット分解装置１００ｒには例えば、図９１に示す構成のものを使用する。以下に、自動リベット分解装置１００ｒの一例を説明する。
【０３４３】
符号７０３は複腕形ロボット装置を示している。この複腕型ロボット装置７０３は一対のアーム機構を有する。各アーム機構は、順次に連結された第１アーム７０４、第２アーム７０５、第３アーム７０６からなる。第１アーム７０４はベルト駆動ユニット（図示を略す）によって移動するベース７１１、ベース７１１に形成されたガイド７１１ａに係合してベース７１１を案内するガイドレール７１２からなる。ベース７１１には第２アーム７０５が載置連結され、第２アーム７０５は原点Ｏ１で互いに交差する所定の３座標軸Ｘ１、Ｚ１、Ｙ１のうち座標軸Ｘ１の方向に移動される。
【０３４４】
符号７１６はそのベルト駆動ユニットの従動プーリー、符号７１７は駆動プーリ（図示を略す）と従動プーリ７１６とに巻掛けられて両端部がベースに固着されたベルトを示している。駆動プーリーはモータによって駆動されて、この駆動プーリの回転によってベルト７１７が走行され、同時に、ベース７１１がガイドレール７１２に案内されて第２アーム７０５を座標軸Ｘ１方向に高精度で移動させる。
【０３４５】
さらに、第２アーム７０５は第１アーム７０４のベース７１１上に固定されたフレーム７１８と、このフレーム７１８に形成されたスリット７１８ａにガイドロッドが挿入されかつ第３アーム７０６の基端部７０６ａが固定された移動ベース７１９と、移動ベース７１９に螺合するスクリュー（図示を略す）を回転させて移動ベース７１９を移動させるモータ７２０とからなる。この第２アーム７０５はモータ７２０の回転によって第３アーム７０６を移動ベース７１９と共に座標軸Ｚ１方向に移動させる。
【０３４６】
モータ７２０によって回転駆動されるスクリューが螺合する移動ベース７１９の雄ネジは移動ベース７１９の移動の円滑化と高精度化とのために、多数のボールを内蔵するボールネジにより構成されている。また、ガイドロッドは移動ベース７１９の回り止めのために設けられている。第３アーム７０６は第２アーム７０５の移動ベース７１９に固定されて第２アーム７０５に連結された基端部７０６ａを一端に有する第１アーム部材７２１と、基端部７０６ａに対向する先端部７０６ｂを一端に有する第２アーム部材７２２と、第１アーム部材７２１の他端に第２アーム部材７２２の他端を連結しかつ第２アーム部材７２２を第１アーム部材７２１に対して回動させる関節部７２３とからなっている。そして、第３アーム７０６は関節部７２３によって先端部７０６ｂを所定の３座標軸Ｘ１、Ｚ１、Ｙ１のうち座標軸Ｙ１方向に移動させる。なお、第３アーム７０６の先端部７０６ｂには、例えば、分解装置１００Ｐを把持するハンド部７２５が設けられている。
【０３４７】
その複腕型ロボット装置７０３はコンピュータで自動制御され、生産ラインにおいて、母材１、２の締結不良が生じたとき、図９０に示すフローチャートに従って、自動的に締結部材が分解される。
【０３４８】
【発明の効果】
請求項１ないし請求項２に記載の発明によれば、切断によって締結部材の頭部と胴部とを分離するので、締結部材を空回りさせることなく、かつ、母材を傷つけることなく、締結部材の頭部と胴部との切断を行うことができる。また、把持手段によって締結部材の揺動が防止されるので、境界領域の切断を確実に行うことができる。すなわち、切断刃が頭部に衝突するときに生じる反力を吸収することができる。
【図面の簡単な説明】
【図１】  簡便な構成の分解装置１００Ａ１の概略構成を説明するための断面図である。
【図２】  図１に示す分解装置１００Ａ１の斜視図である。
【図３】  図１に示す分解装置１００Ａ１を用いて締結部材の境界領域の切断を説明するための図である。
【図４】  頭部が皿形状の締結部材の境界領域の切断を説明するための図である。
【図５】  切断力付与手段を有する分解装置１００Ａ２を説明するための図である。
【図６】  切断力付与手段を有する分解装置１００Ａ３の外観図である。
【図７】  図６に示す分解装置１００Ａ３の断面図である。
【図８】  図７に示す分解装置１００Ａ３を用いて締結部材の境界領域を切断した際の刃先部と分離破断箇所との位置関係を説明するための部分断面図である。
【図９】  図７に示す分解装置１００Ａ３を用いて切断された締結部材の頭部と刃先部との関係を説明するための部分断面図である。
【図１０】  図７に示す分解装置１００Ａ３の刃先部の高さとこの刃先部により切断される分離破断箇所との関係を説明するための図である。
【図１１】  刃先部の内周面にテーパ面を有する分解工具１００Ａ４の断面図である。
【図１２】  カシメマシンを用いたピン締結技術を説明するための説明図である。
【図１３】  ピン締結技術により母材に締結された軸を分解装置１００Ａ４を用いて切断する状態を示す部分断面図である。
【図１４】  ピン締結技術により母材に締結された軸と分解装置１００Ａ４の刃先部との位置関係を説明するための断面図である。
【図１５】  切断力付与手段を有する分解装置１００Ｂの概略構成を示す断面図である。
【図１６】  切断力付与手段を有する分解装置１００Ｃの構成を示す概略断面図である。
【図１７】  母材に締結された締結部材と分解装置１００Ｂとの寸法関係を説明するための断面図である。
【図１８】  母材に締結された締結部材と分解装置１００Ｂとの高さ関係を説明するための断面図である。
【図１９】  着脱可能な切断刃を有する分解装置１００Ｂ１の構成を示す概略断面図である。
【図２０】  着脱可能な切断刃を有する分解装置１００Ｃ１の構成を示す概略断面図である。
【図２１】  締結部材の境界領域の切断時に、この締結部材のカシメ付け部を支承するサポート部材の説明図である。
【図２２】  サポート部材の他の構成を示す説明図である。
【図２３】  分解装置を用いた締結部材分解装置構造体を示す図である。
【図２４】  母材に対する位置決め部材を有する分解装置１００Ｄの構成を示す断面図である。
【図２５】  母材に対する位置決め部材を有する分解装置１００Ｄ’の構成を示す断面図である。
【図２６】  分解装置１００Ｄ’の改良品を示す断面図である。
【図２７】  分解装置１００Ｄ’の更に他の改良品を示す断面図である。
【図２８】  分解装置１００Ｄ’の更に他の改良品を示す断面図である。
【図２９】  図３３に係わる把持ユニットの分解斜視図である。
【図３０】  図２９に示すホルダーを底面側から目視した平面図である。
【図３１】  図２９に示すホルダーを締め付け部材に取り付けた状態を示す断面図である。
【図３２】  把持ユニットの作用を説明するための断面図であり、（ａ）は把持ユニットのチャック爪を胴部に係合させる直前の状態を示し、（ｂ）はチャック爪を胴部係合させた状態を示す。
【図３３】  図２９に示す把持ユニットを有する分解装置の断面図である。
【図３４】  締結部材の他の例を示し、（ａ）は頭部に傾斜面を有する締結部材、（ｂ）は頭部に段差部を設けた締結部材、（ｃ）は頭部に厚肉部を設けた締結部材をそれぞれ示す。
【図３５】  図３１に示す把持ユニットによって図３４（ａ）に示す締結部材の胴部を把持した状態を示す図である。
【図３６】  図３４（ａ）に示す締結部材を図３３に示す分解装置によって分解している状態を示す断面図である。
【図３７】  図３７に示す把持ユニットの他の例を示す断面図である。
【図３８】  図３７に示す把持ユニットを用いて、図３４（ｂ）に示す締結部材を把持している状態を示す断面図である。
【図３９】  締結部材に挿入されるカラーの説明図であって、（ａ）はスリ割りが形成されているカラーを締結部材の胴部に挿入する直前の状態を示し、（ｂ）は母材１、２にカラーが介在された締結部材を挿通した状態を示し、（ｃ）は締結部材の胴部をカシメ付けて、母材１、２を締結部材によって締結した状態を示す。
【図４０】  図３９に示すカラーの平面図であり、（ａ）はスリ割りが形成されているカラーを示し、（ｂ）はＶ溝が形成されたカラーを示し、（ｃ）は貫通穴が形成されたカラーを示す。
【図４１】  図３９に示すカラーの破壊に用いる把持ユニットを示す断面図である。
【図４２】  図３９に示すカラーの破壊後に把持ユニットによって、締結部材の胴部を把持する直前の状態を示す断面図である。
【図４３】  図４１に示す把持ユニットによって締結部材の胴部を把持して、締結部材を切断刃ユニットによって切断する直前の状態を示す断面図である。
【図４４】  カラーの他の例を示す図であって、（ａ）はスリ割り付きのカラーに固着層を設けた平面図を示し、（ｂ）は（ａ）に示すカラーの側面図であり、（ｃ）は（ｂ）に示すカラーを締結部材の頭部下面に取り付けた状態を示す側面図である。
【図４５】  締結部材の分解装置１００Ｆの概略構成を示す断面図である。
【図４６】  図４５に示す分解装置１００Ｆの切断刃の寸法を説明するための部分断面図である。
【図４７】  図４５に示す分解装置１００Ｆを用いてブラインドリベットの境界領域を分解する過程を説明するための図であって、（ａ）は切断刃が頭部と胴部との境界領域に食い込んで、切断分離される直前の状態を示し、（ｂ）は頭部と胴部との分離後に切断刃の刃先が背面側のカシメ付け部に当接している状態を示し、（ｃ）はその切断刃によって胴部を締結穴から押し出している状態を示している。
【図４８】  切断刃の胴部に対する寸法関係を変更した例を示す図である。
【図４９】  図４８に示す切断刃を用いて境界領域を切断する過程を説明するための図であって、（ａ）は切断刃が頭部に食い込んだ直後の状態を示し、（ｂ）は切断刃が頭部と胴部との境界領域に食い込んで、切断分離される直前の状態を示し、（ｃ）はその切断刃によって胴部を締結穴から押し出している状態を示している。
【図５０】  図４８に示す切断刃の頭部への食い込み状態を説明するための拡大断面図である。
【図５１】  胴部押出手段を有する分解装置１００Ｇの概略構成を示す断面図である。
【図５２】  図５１に示す分解装置１００Ｇを用いてブラインドリベットの境界領域を切断する過程を示す図であって、（ａ）は境界領域の切断直後の状態を示し、（ｂ）はその境界領域の切断後に、胴部押し出し手段によって胴部が締結穴から押し出されている状態を示している。
【図５３】  図５１に示す分解装置１００Ｇの改良品であって、分解工具１００Ｇ’の概略構成を示す断面図である。
【図５４】  放射状切断刃の説明図であって、（ａ）は４個の板状体からなる放射状刃を有する放射状切断刃の斜視図を示し、（ｂ）は３個の板状体からなる放射状刃を有する放射状切断刃の斜視図を示し、（ｃ）は、４個のくさび状体からなる放射状刃を有する放射状切断刃を示している。
【図５５】  図５４（ａ）に示す放射状切断刃を用いて、ブラインドリベットの頭部を切断する状態を示す断面図である。
【図５６】  放射状切断刃によって切断された頭部を示す斜視図である。
【図５７】  放射状切断刃を一体に有する分解装置１００Ｈの概略構成を示す断面図である。
【図５８】  放射状切断刃を一体に有する分解装置１００Ｈ’の概略構成を示す断面図である。
【図５９】  穴形成手段を有する分解装置１００Ｉの概略構成を示す斜視図である。
【図６０】  図５９に示す円筒状構造体の詳細構成を示す断面図である。
【図６１】  図５９に示す円筒状構造体の接合部の詳細構成を示す図であり、（ａ）は分解斜視図であり、（ｂ）はその組立体を示す部分斜視図である。
【図６２】  図６０に示すピストンの説明図であって、（ａ）はそのピストンの底面図であり、（ｂ）はピストンとして円筒状切断刃を用いた例をを示す部分斜視図である。
【図６３】  図６０に示す円筒状構造体の内面展開図である。
【図６４】  針状部材によって頭部に複数の穴を形成している状態を示す断面図である。
【図６５】  針状部材によって頭部に複数の穴を形成する工程の説明図であって、（ａ）は第１回目の工程によって頭部に形成された穴列を示し、（ｂ）は複数回の工程によって頭部に形成された連続的な穴を示している。
【図６６】  分解装置１００Ｉを用いて胴部を締結穴から除去している状態を示す断面図である。
【図６７】  切断刃に加わる衝撃緩和を図ることの可能な分解装置１００Ｊの概略構成を示す断面図である。
【図６８】  分解装置１００Ｊを用いてブラインドリベットの境界領域を切断する過程を説明するための図であって、（ａ）は図６７に示すタッピング部材を軸穴に螺合させた状態を示し、（ｂ）は図６７に示す切断刃によって境界領域を切断している状態を示している。
【図６９】  切断刃に加わる衝撃緩和を図ることの可能な分解装置１００Ｋの概略構成を示す断面図であり、（ａ）はタッピング部材を軸穴に螺合させた状態を示し、（ｂ）は切断刃によって境界領域を切断している状態を示している。
【図７０】  切断刃に加わる衝撃緩和を図ることの可能な分解装置１００Ｌの概略構成を示す断面図であり、（ａ）はタッピング部材を軸穴に螺合させた状態を示し、（ｂ）は切断刃によって境界領域を切断している状態を示している。
【図７１】  切断刃に加わる衝撃の緩和を図ることのできる分解装置１００Ｍの外観図である。
【図７２】  図７１に示すノーズケーシングの概略構成を示す断面図である。
【図７３】  図７１に示すマンドレルを軸穴から除去する過程を説明するための説明図であって、（ａ）はマンドレルをノックピンによって除去している状態を示し、（ｂ）はマンドレルが除去された締結部材の断面図であり、（ｃ）は図７２に示す引っ張り棒を軸穴に挿通する直前の状態を示す断面図である。
【図７４】  図７１に示す分解装置１００Ｍを用いてブラインドリベットの境界領域を切断する過程を説明するための図であって、（ａ）は切断刃が頭部に当接されている状態を示し、（ｂ）は引っ張り棒の引っ張りによって、頭部にその境界領域に沿って切断刃の刃先部が食い込んだ状態を示している。
【図７５】  引っ張り棒のリベット当接部に切断刃を形成して切断刃に加わる衝撃の緩和を図ることのできる分解装置１００Ｎを示す説明図であって、（ａ）は引っ張り棒のリベット当接部をカシメ付け部に当接させた状態を示し、（ｂ）はリベット当接部に形成されている切断刃によってカシメ付け部を切断している状態を示している。
【図７６】  ノーズピースに設けられた切断刃とリベット当接部に設けられた切断刃とによってブラインドリベットの両頭部を切断することにより切断刃に加わる衝撃の緩和を図ることのできる分解装置１００Ｏを示す説明図であって、（ａ）は両切断刃が各頭部に当接している状態を示し、（ｂ）は各切断刃によって各頭部が切断されている状態を示している。
【図７７】  複数回の切断動作によって締結部材の境界領域を切断する分解装置の主要部としての円筒状構造体を示す断面図である。
【図７８】  図７７に示す分解装置に用いる切断刃の一例を示す図であって、（ａ）は外周面にテーパ面が形成された切断刃の斜視図であり、（ｂ）は内周面にテーパ面が形成された切断刃の斜視図である。
【図７９】  図７７に示すピストン及び切断刃の底面図であり、（ａ）は４５度間隔で切断刃を形成した場合を示し、（ｂ）は６０度間隔で切断刃を形成した状態を示す。
【図８０】  図７７に示す円筒状構造体の内面展開図である。
【図８１】  図７８に示す円筒状切断刃を用いて境界領域を切断している状態を示す断面図である。
【図８２】  図７８に示す円筒状切断刃による頭部の切断状態の説明図であり、（ａ）は頭部に形成された切断箇所と未切断箇所とを示す図であり、（ｂ）は複数回の切断動作により頭部に円周状切断箇所が形成された状態を示す図である。
【図８３】  図７８に示す円筒状切断刃による境界領域の切断後、胴部を締結穴から除去する状態を示す図である。
【図８４】  アタッチメント構造の分解装置１００Ｐの主要部を示す断面図である。
【図８５】  図８４に示す分解装置１００Ｐを用いて境界領域を切断する過程を説明するための図であって、（ａ）は圧縮部材をジョー部材に把持させた状態を示し、（ｂ）は切断力付勢手段に切断力を蓄積させた状態を示し、（ｃ）は圧縮部材の破断部が破断された状態を示し、（ｄ）は蓄積された切断力の解放によって境界領域が切断された状態を示している。
【図８６】  圧縮部材としての引っ張りピンにその軸方向に沿って複数個の破断部を形成した分解装置１００Ｐを示す図である。
【図８７】  切断刃支持体の端壁に嵌合部を形成した分解装置１００Ｐを示す図である。
【図８８】  切断刃支持体の端壁にパイプ部を形成した分解装置１００Ｐを示す図である。
【図８９】  切断刃支持体に母材に当接する当接部材を設けた分解装置１００ｑを示す図である。
【図９０】  母材から締結部材を除去して母材を回収する生産システムを説明するためのフローチャートである。
【図９１】  自動リベット分解装置の概略構成を示す斜視図である。
【図９２】  ネジ締結技術の説明図であって、（ａ）はボルト・ナットによって母材を締結している状態を示し、（ｂ）はタッピングビスによって母材同士を締結している状態を示す。
【図９３】  ピン締結技術の説明図であって、（ａ）はカシメマシンを用いてピンの両端部をカシメることによって母材同士を締結している状態を示し、（ｂ）は母材としての軸をカシメることによって軸の端部と母材とを締結している状態を示す。
【図９４】  リベット締結技術の説明図であり、（ａ）はソリッドリベットを示し、（ｂ）はチューブラリベットを示し、（ｃ）はブラインドリベットを示し、（ｄ）はソリッドリベットによって母材同士を締結している状態を示し、（ｅ）はチューブラリベットによって母材同士を締結している状態を示し、（ｆ）はブラインドリベットによって母材同士を締結している状態を示す。
【図９５】  ブラインドリベットを用いて母材を締結する締結工程の説明図であり、（ａ）は母材１の締結穴にブラインドリベットを挿通する直前の状態を示し、（ｂ）はそのブラインドリベットのマンドレルの端部をブラインドリベット締結装置のジョー部材によって把持する直前の状態を示し、（ｃ）はそのジョー部材によってマンドレルの軸部を把持した状態を示し、（ｄ）はそのジョー部材によってマンドレルの軸部を引っ張ることにより、マンドレルが破断箇所から破断されることによって、胴部の突出端部がカシメ付けられた状態を示している。
【図９６】  バーリングカシメを示す断面図である。
【図９７】  ドリルによって頭部を切削することにより締結部材を分解している状態を示す図である。
【図９８】  ドリルによる分解方法の不具合を説明するための図である。
【符号の説明】
１、２  母材
１ａ、２ａ  締結穴
１０  締結部材
１１ｂ  胴部
１１ｃ  頭部
１０２  切断手段
１００Ａ１  分解装置
Ａ  境界領域
【図１】
0004053191.tif 000002
【図２】
0004053191.tif 000003
【図３】
0004053191.tif 000004
【図４】
0004053191.tif 000005
【図５】
0004053191.tif 000006
【図６】
0004053191.tif 000007
【図７】
0004053191.tif 000008
【図８】
0004053191.tif 000009
【図９】
0004053191.tif 000010
【図１０】
0004053191.tif 000011
【図１１】
0004053191.tif 000012
【図１２】
0004053191.tif 000013
【図１３】
0004053191.tif 000014
【図１４】
0004053191.tif 000015
【図１５】
0004053191.tif 000016
【図１６】
0004053191.tif 000017
【図１７】
0004053191.tif 000018
【図１８】
0004053191.tif 000019
【図１９】
0004053191.tif 000020
【図２０】
0004053191.tif 000021
【図２１】
0004053191.tif 000022
【図２２】
0004053191.tif 000023
【図２３】
0004053191.tif 000024
【図２４】
0004053191.tif 000025
【図２５】
0004053191.tif 000026
【図２６】
0004053191.tif 000027
【図２７】
0004053191.tif 000028
【図２８】
0004053191.tif 000029
【図２９】
0004053191.tif 000030
【図３０】
0004053191.tif 000031
【図３１】
0004053191.tif 000032
【図３２】
0004053191.tif 000033
【図３３】
0004053191.tif 000034
【図３４】
0004053191.tif 000035
【図３５】
0004053191.tif 000036
【図３６】
0004053191.tif 000037
【図３７】
0004053191.tif 000038
【図３８】
0004053191.tif 000039
【図３９】
0004053191.tif 000040
【図４０】
0004053191.tif 000041
【図４１】
0004053191.tif 000042
【図４２】
0004053191.tif 000043
【図４３】
0004053191.tif 000044
【図４４】
0004053191.tif 000045
【図４５】
0004053191.tif 000046
【図４６】
0004053191.tif 000047
【図４７】
0004053191.tif 000048
【図４８】
0004053191.tif 000049
【図４９】
0004053191.tif 000050
【図５０】
0004053191.tif 000051
【図５１】
0004053191.tif 000052
【図５２】
0004053191.tif 000053
【図５３】
0004053191.tif 000054
【図５４】
0004053191.tif 000055
【図５５】
0004053191.tif 000056
【図５６】
0004053191.tif 000057
【図５７】
0004053191.tif 000058
【図５８】
0004053191.tif 000059
【図５９】
0004053191.tif 000060
【図６０】
0004053191.tif 000061
【図６１】
0004053191.tif 000062
【図６２】
0004053191.tif 000063
【図６３】
0004053191.tif 000064
【図６４】
0004053191.tif 000065
【図６５】
0004053191.tif 000066
【図６６】
0004053191.tif 000067
【図６７】
0004053191.tif 000068
【図６８】
0004053191.tif 000069
【図６９】
0004053191.tif 000070
【図７０】
0004053191.tif 000071
【図７１】
0004053191.tif 000072
【図７２】
0004053191.tif 000073
【図７３】
0004053191.tif 000074
【図７４】
0004053191.tif 000075
【図７５】
0004053191.tif 000076
【図７６】
0004053191.tif 000077
【図７７】
0004053191.tif 000078
【図７８】
0004053191.tif 000079
【図７９】
0004053191.tif 000080
【図８０】
0004053191.tif 000081
【図８１】
0004053191.tif 000082
【図８２】
0004053191.tif 000083
【図８３】
0004053191.tif 000084
【図８４】
0004053191.tif 000085
【図８５】
0004053191.tif 000086
【図８６】
0004053191.tif 000087
【図８７】
0004053191.tif 000088
【図８８】
0004053191.tif 000089
【図８９】
0004053191.tif 000090
【図９０】
0004053191.tif 000091
【図９１】
0004053191.tif 000092
【図９２】
0004053191.tif 000093
【図９３】
0004053191.tif 000094
【図９４】
0004053191.tif 000095
【図９５】
0004053191.tif 000096
【図９６】
0004053191.tif 000097
【図９７】
0004053191.tif 000098
【図９８】
0004053191.tif 000099